(57)【特許請求の範囲】
【請求項１】
繰り返し締めることが可能なトレーニングパンツの製造方法であって、
前記繰り返し締めることが可能なトレーニングパンツは、前方エッジ、後方エッジ、ならびに、前記前方エッジと前記後方エッジとの間に長手方向に延在する第１の側方エッジおよび第２の側方エッジを持つ胴体部と、前記胴体部の前記前方エッジおよび前記後方エッジのうち一方の近傍において前記胴体部に取り付けられる一対の第１のサイドパネルと、前記胴体部の前記前方エッジおよび前記後方エッジのうち他方の近傍において前記胴体部に取り付けられる一対の第２のサイドパネルとを有し、
前記一対の第１のサイドパネルはそれぞれ、第１の取付け部を含み、前記一対の第２のサイドパネルはそれぞれ、第２の取付け部を含み、
前記製造方法は、
前記一対の第１のサイドパネルのそれぞれの第１の折り曲げ部分および前記第１の取付け部を、前記胴体部の前記第１の側方エッジと前記第２の側方エッジとの間に位置させるように、前記胴体部の上方に内向きに前記一対の第１のサイドパネルのそれぞれを折り曲げる段階と、
前記一対の第１のサイドパネルのそれぞれの前記第１の折り曲げ部分の少なくとも一部分を、前記胴体部の前記第１の側方エッジおよび前記第２の側方エッジのそれぞれに隣接しているポケットに挿入する段階と、
前記第２の取付け部を前記胴体部の前記第１の側方エッジと前記第２の側方エッジとの間に位置するように、前記一対の第２のサイドパネルを前記胴体部の上方に内向きに前記一対の第２のサイドパネルのそれぞれを折り曲げる段階と、
前記繰り返し締めることが可能なトレーニングパンツを機械方向に移送して折り曲げ装置を通過させて、前記折り曲げ装置において横方向折り曲げラインに沿って前記繰り返し締めることが可能なトレーニングパンツを折り曲げて、前記胴体部の前記第１の側方エッジと前記第２の側方エッジとの間において、前記一対の第１のサイドパネルの前記第１の取付け部と、前記一対の第２のサイドパネルの前記第２の取付け部とが向かい合うようにする段階と
を備える製造方法。
【請求項２】
前記ポケットは、脚回り境界部とトップシートとの間に形成される請求項１に記載の製造方法。
【請求項３】
前記一対の第２のサイドパネルのそれぞれを折り曲げる段階は、
前記一対の第２のサイドパネルのそれぞれの第２の折り曲げ部分が前記胴体部の前記第１の側方エッジと前記第２の側方エッジとの間に位置するように前記胴体部の上方に内向きに前記一対の第２のサイドパネルのそれぞれを折り曲げる段階と、
前記一対の第２のサイドパネルのそれぞれの第３の折り曲げ部分が前記胴体部の前記第１の側方エッジと前記第２の側方エッジとの間に位置するように前記一対の第２のサイドパネルのそれぞれの前記第２の折り曲げ部分の上方に外向きに前記一対の第２のサイドパネルのそれぞれを折り曲げる段階と
含む請求項１または２に記載の製造方法。
【請求項４】
前記一対の第２のサイドパネルのそれぞれの前記第２の折り曲げ部分および前記第３の折り曲げ部分の少なくとも一部分を、前記胴体部の前記第１の側方エッジおよび前記第２の側方エッジのそれぞれに隣接しているポケットに挿入する段階をさらに備える請求項３に記載の製造方法。
【請求項５】
繰り返し締めることが可能なトレーニングパンツの製造方法であって、
前記繰り返し締めることが可能なトレーニングパンツは、前方エッジ、後方エッジ、ならびに、前記前方エッジと前記後方エッジとの間に長手方向に延在する第１の側方エッジおよび第２の側方エッジを持つ胴体部と、前記胴体部の前記前方エッジおよび前記後方エッジのうち一方の近傍において前記胴体部に取り付けられる一対の第１のサイドパネルと、前記胴体部の前記前方エッジおよび前記後方エッジのうち他方の近傍において前記胴体部に取り付けられる一対の第２のサイドパネルとを有し、
前記一対の第１のサイドパネルはそれぞれ、第１の取付け部を含み、前記一対の第２のサイドパネルはそれぞれ、第２の取付け部を含み、
前記製造方法は、
前記一対の第１のサイドパネルのそれぞれの第１の折り曲げ部分および前記第１の取付け部を、前記胴体部の前記第１の側方エッジと前記第２の側方エッジとの間に位置させるように、前記胴体部の上方に内向きに前記一対の第１のサイドパネルのそれぞれを折り曲げる段階と、
前記一対の第２のサイドパネルのそれぞれの第２の折り曲げ部分が前記胴体部の前記第１の側方エッジと前記第２の側方エッジとの間に位置するように前記胴体部の上方に内向きに前記一対の第２のサイドパネルのそれぞれを折り曲げる段階と、
前記一対の第２のサイドパネルのそれぞれの第３の折り曲げ部分が前記胴体部の前記第１の側方エッジと前記第２の側方エッジとの間に位置するように前記一対の第２のサイドパネルのそれぞれの前記第２の折り曲げ部分の上方に外向きに前記一対の第２のサイドパネルのそれぞれを折り曲げる段階と、
前記一対の第２のサイドパネルのそれぞれの前記第２の折り曲げ部分および前記第３の折り曲げ部分の少なくとも一部分を、前記胴体部の前記第１の側方エッジおよび前記第２の側方エッジのそれぞれに隣接しているポケットに挿入する段階と、
前記繰り返し締めることが可能なトレーニングパンツを機械方向に移送して折り曲げ装置を通過させて、前記折り曲げ装置において横方向折り曲げラインに沿って前記繰り返し締めることが可能なトレーニングパンツを折り曲げて、前記胴体部の前記第１の側方エッジと前記第２の側方エッジとの間において、前記一対の第１のサイドパネルの前記第１の取付け部と、前記一対の第２のサイドパネルの前記第２の取付け部とが向かい合うようにする段階と
を備える製造方法。
【請求項６】
繰り返し締めることが可能なトレーニングパンツの製造方法であって、
前記繰り返し締めることが可能なトレーニングパンツは、
前方エッジ、後方エッジ、ならびに、前記前方エッジと前記後方エッジとの間に長手方向に延在する第１の側方エッジおよび第２の側方エッジを持つ胴体部と、前記胴体部の前記前方エッジおよび前記後方エッジのうち一方の近傍において前記胴体部に取り付けられる一対の第１のサイドパネルと、前記胴体部の前記前方エッジおよび前記後方エッジのうち他方の近傍において前記胴体部に取り付けられる一対の第２のサイドパネルとを有し、
前記一対の第１のサイドパネルはそれぞれ、第１の取付け部を含み、前記一対の第２のサイドパネルはそれぞれ、第２の取付け部を含み、
前記製造方法は、
前記一対の第１のサイドパネルのそれぞれの第１の折り曲げ部分および前記第１の取付け部を、前記胴体部の前記第１の側方エッジと前記第２の側方エッジとの間に位置させるように、前記胴体部の上方に内向きに前記一対の第１のサイドパネルのそれぞれを折り曲げる段階と、
前記一対の第２のサイドパネルのそれぞれの第２の折り曲げ部分が前記胴体部の前記第１の側方エッジと前記第２の側方エッジとの間に位置するように前記胴体部の上方に内向きに前記一対の第２のサイドパネルのそれぞれを折り曲げる段階と、
前記一対の第２のサイドパネルのそれぞれの第３の折り曲げ部分が前記胴体部の前記第１の側方エッジと前記第２の側方エッジとの間に位置するように前記一対の第２のサイドパネルのそれぞれの前記第２の折り曲げ部分の上方に外向きに前記一対の第２のサイドパネルのそれぞれを折り曲げて、前記胴体部と前記一対の第２のサイドパネルのそれぞれの前記第３の折り曲げ部分の第１の突起部分との間に少なくとも第１の断絶可能な結合を形成し、前記胴体部と前記一対の第２のサイドパネルのそれぞれの前記第３の折り曲げ部分の第２の突起部分との間に少なくとも第２の断絶可能な結合を形成する段階と、
前記繰り返し締めることが可能なトレーニングパンツを機械方向に移送して折り曲げ装置を通過させて、前記折り曲げ装置において横方向折り曲げラインに沿って前記繰り返し締めることが可能なトレーニングパンツを折り曲げて、前記胴体部の前記第１の側方エッジと前記第２の側方エッジとの間において、前記一対の第１のサイドパネルの前記第１の取付け部と、前記一対の第２のサイドパネルの前記第２の取付け部とが向かい合うようにする段階と
を備え、
前記第１の突起部分および前記第２の突起部分は、前記第３の折り曲げ部分の遠位領域の後方エッジおよび前方エッジの一方から延在しており、前記第２の突起部分は、前記第３の折り曲げ部分の前記遠位領域の前記前方エッジおよび前記後方エッジの他方から延在している、製造方法。
【請求項７】
繰り返し締めることが可能なトレーニングパンツの製造方法であって、
パンツ胴体部の一部分を形成するトップシートを用意する段階と、
それぞれが第１の繰り返し締めることが可能な取付け部を持つ一対の第１のサイドパネルを前記トップシートに取り付ける段階と、
前記一対の第１のサイドパネルのそれぞれを折り曲げて第１の折り曲げ部分を形成する段階と、
前記一対の第１のサイドパネルのそれぞれの前記第１の折り曲げ部分を前記パンツ胴体部に取り外し可能に固定する段階と、
それぞれが第２の繰り返し締めることが可能な取付け部を持つ一対の第２のサイドパネルを前記トップシートに取り付ける段階と、
前記パンツ胴体部の上方に内向きに前記一対の第２のサイドパネルを折り曲げて第２の折り曲げ部分を形成する段階と、
前記パンツ胴体部の上方に外向きに前記一対の第２のサイドパネルのそれぞれを折り曲げて第３の折り曲げ部分を形成する段階と
を備え、
前記取り外し可能に固定する段階は、前記一対の第１のサイドパネルのそれぞれの前記第１の折り曲げ部分の少なくとも１つの少なくとも一部分を対応するポケットに挿入する段階を有する、製造方法。
【請求項８】
前記ポケットは、脚回り境界部と前記トップシートとの間に形成されている
請求項７に記載の製造方法。
【請求項９】
前方エッジ、後方エッジ、および、前記前方エッジと前記後方エッジとの間に長手方向に延在する第１の側方エッジおよび第２の側方エッジを持つ胴体部を備える、繰り返し締めることが可能なトレーニングパンツであって、
前記胴体部は、
少なくとも一部分が流体透過性であるトップシートと、
流体非透過性のバックシートと、
前記トップシートと前記バックシートとの間に挟持されている吸収性コアと
を有し、
前記トップシートおよび前記バックシートは互いに接合されており、
前記胴体部は、前記第１の側方エッジおよび前記第２の側方エッジに直交する横方向の折り曲げラインに沿って折り曲げられ、
前記繰り返し締めることが可能なトレーニングパンツはさらに、
前記胴体部の前記前方エッジおよび前記後方エッジの一方の近傍において前記胴体部に取り付けられている一対の第１のサイドパネルと、
前記胴体部の前記前方エッジおよび前記後方エッジの他方の近傍において前記胴体部に取り付けられている一対の第２のサイドパネルと
を備え、
前記一対の第１のサイドパネルはそれぞれ、第１の取付け部を有し、
前記一対の第２のサイドパネルはそれぞれ、第２の取付け部を有し、
前記一対の第１のサイドパネルはそれぞれ、前記胴体部の上方に内向きに折り曲げられ、前記一対の第１のサイドパネルのそれぞれの第１の折り曲げ部分が前記胴体部の前記第１の側方エッジと前記第２の側方エッジとの間に位置しており、
前記一対の第２のサイドパネルのそれぞれは、略Ｓ字形状に折り曲げられており、第２の折り曲げラインに沿って前記胴体部の上方に外周に対して内向きに折り曲げられている第２の折り曲げ部分と、前記第２の折り曲げ部分の上方に第３の折り曲げラインに沿って折り曲げられている第３の折り曲げ部分とを持ち、
折り曲げられている前記一対の第２のサイドパネルはそれぞれ、前記胴体部の前記第１の側方エッジと前記第２の側方エッジとの間に位置しており、
前記一対の第１のサイドパネルはそれぞれ、前記一対の第１のサイドパネルの少なくとも一部分を対応するポケットに挿入することによって前記胴体部に取り外し可能に固定されており、前記第１の取付け部および前記第２の取付け部は、前記胴体部の前記第１の側方エッジと前記第２の側方エッジとの間において繰り返し締めることが可能なように係合される、繰り返し締めることが可能なトレーニングパンツ。
【請求項１０】
前記一対の第２のサイドパネルのそれぞれは、前記一対の第２のサイドパネルの少なくとも一部分を対応するポケットに挿入することによって、前記胴体部に取り外し可能に固定されている請求項９に記載の繰り返し締めることが可能なトレーニングパンツ。
【請求項１１】
前記ポケットは、脚回り境界部と前記トップシートとの間に形成されている請求項１０に記載の繰り返し締めることが可能なトレーニングパンツ。
【請求項１２】
前記一対の第１のサイドパネルは、着用者の脚に人体構造的に合う形状の下側エッジを持つ請求項９から１１のいずれか一項に記載の繰り返し締めることが可能なトレーニングパンツ。
【請求項１３】
前記第１の取付け部および前記第２の取付け部の一方は、前記一対の第１のサイドパネルおよび前記一対の第２のサイドパネルのうち対応する一方を構成する材料の表面ループによって形成されるループ部を含む請求項９から１２のいずれか一項に記載の繰り返し締めることが可能なトレーニングパンツ。
【発明の詳細な説明】
【技術分野】
【０００１】
＜関連出願＞
本特許出願は、同時係属中の米国特許出願第１３／００６，１５９号（出願日：２０１１年１月１３日）の一部継続出願である、同時係属中の米国特許出願第１３／２９９，１４５号（出願日：２０１１年１１月１７日）の一部継続出願である。両出願の内容は全て、参照により本願に組み込まれる。
【０００２】
本開示は、吸収性衛生製品に関する。本開示は特に、パンツと同様に着用可能な繰り返し締めることが可能な吸収性衛生製品に関する。
【背景技術】
【０００３】
最近数年間において、「トレーニングパンツ」と一般的に呼ばれる種類のオムツに対する関心が高くなっている。トレーニングパンツは、パックから取り出すと、パンツによく似た形状を既に持っている。トレーニングパンツは、パンツを着用する際と基本的に同様の手順で、ユーザの脚に沿わせて着用される。
【０００４】
トレーニングパンツは通常、着用者から排出される体液を吸収する吸収性コアを含む中央部または胴体部を有する。胴体部から複数のサイドパネルが横方向に延在して、トレーンングパンツが持つパンツ状の構造が実現されている。サイドパネルは、対応する遠位エッジを互いに接続する（予め締める）と側方閉鎖領域を形成する。最新型の製品では、予め締めた閉鎖領域は繰り返し締めることが可能であるので、事前に締められた閉じたパンツ状態で販売されるこのようなトレーニングパンツは、片側で選択的に開いて、例えば、トレーニングパンツが汚れているか否かを確認することが可能になる。
【０００５】
米国特許第６，７６１，７１１号、第６，８４９，０６７号、第６，６４５，１９０号または第７，５３４，２３７号等の文献は、繰り返し締めることが可能な側方閉鎖部の構成例を示している。
【０００６】
米国特許第６，５１４，１８７号、第７，３２２，９２５号、第７，３３５，１５０号、第７，３８７，１４８号または欧州特許文献第Ａ−１  ２８９  ４６５号、第Ａ−２  ２８９  ４６６号または第Ａ−１  ２８４  ７００号等のさまざまな特許文献は、繰り返し締めることが可能な側方閉鎖部を持つ製品の製造に適用され得る方法および装置の例を開示している。
【０００７】
上記の文献で考慮されているさまざまな構成は、得られる結果の有効性に関わらず、製造方法および製造装置が複雑で、高価であり、信頼性の点で重大な問題点があることは避けられないという欠点が本質的にある。
【０００８】
このため、上記の問題点の一部または全てを解決しつつ、上述した利点を維持する製品構造を得る解決策を提供することが望まれている。特許請求の範囲は、本明細書で開示しているように本発明の開示の一部として不可欠である。
【発明の概要】
【課題を解決するための手段】
【０００９】
一の側面によると、繰り返し締めることが可能な物品を用意する方法を提供する。当該方法は、繰り返し締めることが可能なトレーニングパンツを用意する段階を備え、繰り返し締めることが可能なトレーニングパンツは、前方エッジ、後方エッジ、ならびに、前方エッジと後方エッジとの間に長手方向に延在する第１の側方エッジおよび第２の側方エッジを持つ胴体部を有し、繰り返し締めることが可能なトレーニングパンツは、胴体部の前方エッジおよび後方エッジのうち一方の近傍において胴体部に一対の第１のサイドパネルが取り付けられており、胴体部の前方エッジおよび後方エッジのうち他方の近傍において胴体部に一対の第２のサイドパネルが取り付けられており、第１のサイドパネルはそれぞれ、第１の取付け部を含み、第２のサイドパネルはそれぞれ、第２の取付け部を含み、第１のサイドパネルは、胴体部の上方に内向きに折り曲げられており、第１の取付け部が胴体部の第１の側方エッジと第２の側方エッジとの間に位置し、第２のサイドパネルは、胴体部の上方に内向きに折り曲げられており、第２の取付け部が胴体部の第１の側方エッジと第２の側方エッジとの間に位置する。当該方法はさらに、第１の取付け部および第２の取付け部を胴体部の第１の側方エッジと第２の側方エッジとの間に位置させつつ、第１の取付け部の少なくとも一部分と第２の取付け部の少なくとも一部分とを、繰り返し締めることが可能な方法で係合させる段階を備える。
【００１０】
別の側面によると、繰り返し締めることが可能なトレーニングパンツを用意する方法を提供する。当該方法は、パンツ胴体部の一部分を形成するべくトップシートを用意する段階と、それぞれが繰り返し締めることが可能な取付け部を持つ一対の第１のサイドパネルをトップシートに取り付ける段階と、第１のサイドパネルのそれぞれを折り曲げて第１の折り曲げ部分を形成する段階と、第１のサイドパネルのそれぞれの第１の折り曲げ部分をパンツ胴体部に取り外し可能に固定する段階とを備える。
【００１１】
他の側面によると、繰り返し締めることが可能なトレーニングパンツを提供する。当該繰り返し締めることが可能なトレーニングパンツは、前方エッジ、後方エッジ、および、前方エッジと後方エッジとの間に長手方向に延在する第１の側方エッジおよび第２の側方エッジを持つ胴体部を備える。胴体部は、第１の側方エッジおよび第２の側方エッジに直交する横方向の折り曲げラインに沿って折り曲げられている。当該繰り返し締めることが可能なトレーニングパンツはさらに、胴体部の前方エッジおよび後方エッジの一方の近傍において胴体部に取り付けられている一対の第１のサイドパネルを備える。第１のサイドパネルはそれぞれ、第１の取付け部を有する。当該繰り返し締めることが可能なトレーニングパンツはさらに、胴体部の前方エッジおよび後方エッジの他方の近傍において胴体部に取り付けられている一対の第２のサイドパネルを備える。第２のサイドパネルはそれぞれ、第２の取付け部を有する。第１のサイドパネルはそれぞれ、胴体部に取り外し可能に固定されている。第１の取付け部および第２の取付け部は、胴体部の第１の側方エッジと第２の側方エッジとの間において、繰り返し締めることが可能なように係合されている。
【００１２】
さらに別の側面によると、繰り返し締めることが可能なトレーニングパンツを用意する装置を提供する。当該装置は、第１の繰り返し締めることが可能な取付け部を持つ第１のサイドパネルをパンツ胴体部に取り付ける第１のサイドパネル取付け装置を備える。パンツ胴体部には、第１の側方エッジおよび第２の側方エッジがある。サイドパネル取付け装置は、パンツ胴体部の第１の側方エッジに隣接するようにパンツ胴体部に第１のサイドパネルを取り付ける。当該装置はさらに、第１のサイドパネルを受け取って、パンツ胴体部の第１の側方エッジおよび第２の側方エッジを略横断する方向において、第１のサイドパネルを折り曲げて、第１の折り曲げ部分を形成する第１のサイドパネル折り曲げ装置を備える。第１の折り曲げ部分は、パンツ胴体部に取り付けられると、パンツ胴体部の上方に内向きに折り曲げられ、パンツ胴体部の第１の側方エッジと第２の側方エッジとの間において延在する。当該装置はさらに、第１のサイドパネルの第１の折り曲げ部分をパンツ胴体部に取り外し可能な方法で固定する固定装置を備える。
【００１３】
別の側面によると、繰り返し締めることが可能なトレーニングパンツを用意する装置を提供する。当該パンツ組み立てシステムは、前方エッジ、後方エッジ、ならびに、前方エッジと後方エッジとの間に長手方向に延在する第１の側方エッジおよび第２の側方エッジを持つ胴体部を有する繰り返し締めることが可能なトレーニングパンツを用意する。繰り返し締めることが可能なトレーニングパンツは、胴体部の前方エッジおよび後方エッジのうち一方の近傍において胴体部に一対の第１のサイドパネルが取り付けられており、胴体部の前方エッジおよび後方エッジのうち他方の近傍において胴体部に一対の第２のサイドパネルが取り付けられている。第１のサイドパネルはそれぞれ、第１の取付け部を含み、第２のサイドパネルはそれぞれ、第２の取付け部を含む。第１のサイドパネルは、胴体部の上方に内向きに折り曲げられており、第１の取付け部が胴体部の第１の側方エッジと第２の側方エッジとの間に位置し、第２のサイドパネルは、胴体部の上方に内向きに折り曲げられており、第２の取付け部が胴体部の第１の側方エッジと第２の側方エッジとの間に位置する。当該装置は、第１および第２の取付け部を、取り付けていない状態で、胴体部の第１の側方エッジと第２の側方エッジとの間に位置させつつ、繰り返し締めることが可能なトレーニングパンツを機械方向に移送するパンツ移送装置を備える。当該装置はさらに、第１および第２の取付け部を、胴体部の第１の側方エッジと第２の側方エッジとの間に位置させつつ、第１の取付け部の少なくとも一部分および第２の取付け部の少なくとも一部分を、取り外し可能な方法で係合させる取付けステーションを備える。
【図面の簡単な説明】
【００１４】
本発明は、例示に過ぎないが、添付図面を参照しつつ以下で説明する。図面は以下の通りである。
【図１】本開示の１以上の実施形態に応じた繰り返し締めることが可能な物品を示す展開斜視図である。
【図２】本開示の１以上の実施形態に応じた繰り返し締めることが可能な物品を平坦にした状態を示す平面図である。
【図３】本開示の１以上の実施形態に応じた繰り返し締めることが可能な物品を示す一部概略断面図である。
【図４】本開示の実施形態に応じた繰り返し締めることが可能な物品を平坦にした状態を示す一部平面図であり、第２の折り曲げ部分と第２のサイドパネルとの間の第２の断絶可能な結合の詳細を示す図である。
【図５】本開示の実施形態に応じた繰り返し締めることが可能な物品を平坦にした状態を示す一部平面図であり、それぞれ第１の突起部分または第２の突起部分と、胴体部との間に位置する第３および第４の断絶可能な結合の詳細を示す図である。
【図６】本開示の１以上の実施形態に応じた繰り返し締めることが可能な物品を示す展開斜視図である。
【図７】本開示の１以上の実施形態に応じた繰り返し締めることが可能な物品を平坦にした状態を示す平面図である。
【図８】本開示の１以上の実施形態に応じた繰り返し締めることが可能な物品を平坦にした状態を示す一部平面図であり、後方サイドパネルの折り曲げの詳細を示す図である。
【図９】本開示の１以上の実施形態に応じた繰り返し締めることが可能な物品を示す一部概略断面図である。
【図１０】本開示の１以上の実施形態に応じた、図１、２、６および７に図示する繰り返し締めることが可能な物品の利用状態を示す斜視図である。
【図１１】本開示の１以上の実施形態に応じた、図１０の矢印Ｖで示す部分の詳細を示す拡大図である。
【図１２】本開示の１以上の実施形態に応じた、繰り返し締めることが可能な物品を製造する方法を説明する概略図である。
【図１３】本開示の１以上の実施形態に応じた後方サイドパネルを製造する方法の一例を示す概略図である。
【図１４Ａ】本開示の１以上の実施形態に応じた後方サイドパネルの製造を説明するための平面図である。
【図１４Ｂ】本開示の１以上の実施形態に応じた後方サイドパネルの製造を説明するための平面図である。
【図１４Ｃ】本開示の１以上の実施形態に応じた後方サイドパネルの製造を説明するための平面図である。
【図１４Ｄ】本開示の１以上の実施形態に応じた後方サイドパネルの製造を説明するための平面図である。
【図１５】本開示の１以上の実施形態に応じた繰り返し締めることが可能な物品を製造する方法を説明するための概略図である。
【発明を実施するための形態】
【００１５】
以下の説明では、実施形態を深く理解できるように具体的且つ詳細な記載を多数挙げる。実施形態は、以下の具体的且つ詳細な内容のうち一部を採用することなく実施することが可能であり、または、他の方法、構成要素、材料等を採用して実施することも可能である。また、公知の構造、材料または処理は、実施形態の側面をあいまいにしないよう、詳細な図示または説明を省略している。
【００１６】
本明細書において、「一実施形態」または「実施形態」といった記載がある場合、当該実施形態に関連付けて説明している特定の特徴、構造または特性は少なくとも一の実施形態に含まれることを意味している。このように、「一実施形態において」または「実施形態では」といった表現は本明細書で繰り返し見られるが、必ずしも全てが同じ実施形態を意味しているものではない。さらに、特定の特徴、構造または特性は、１以上の実施形態において、適宜組み合わせるとしてよい。
【００１７】
「第１」、「第２」、「第３」および「第４」といった用語は、サイドパネル、断絶可能な結合、取付け部、エッジ等に関して本明細書で用いられる場合、当該構成要素が製造工程でパンツ胴体部に対して形成または追加される特定の順序を意味するものではなく、請求項を本明細書で図示または説明した特定の実施形態に限定するものでもない。上記の用語は逆に、対応する構成要素が類似の既出の構成要素とは異なるものであることを明確にすることを目的としているのみである。
【００１８】
＜繰り返し締めることが可能なトレーニングパンツ＞
繰り返し締めることが可能なトレーニングパンツは、予め締めて折り曲げた状態で提供される。繰り返し締めることが可能なトレーニングパンツは、前方エッジ、後方エッジ、および、前方エッジと後方エッジとの間を長手方向に延在している第１および第２の側方エッジを有する胴体部を備える。胴体部は、第１および第２の側方エッジに直交する横方向折り曲げラインに沿って折り曲げられている。繰り返し締めることが可能なトレーニングパンツはさらに、胴体部の前方エッジおよび後方エッジのうち一方の近傍で、胴体部に取り付けられている一対の第１のサイドパネルを備える。繰り返し締めることが可能なトレーニングパンツはさらに、胴体部の前方エッジおよび後方エッジのうち他方の近傍で、胴体部に取り付けられている一対の第２のサイドパネルを備える。第１および第２のサイドパネルはそれぞれ、取付け部を有する。第１および第２のサイドパネルの取付け部は、胴体部の第１の側方エッジと第２の側方エッジとの間を、繰り返し締めることが可能な方法で組み合わせる。一部の実施形態において、取付け部は、例えば、マジックテープ（登録商標）を含むとしてよい。
【００１９】
繰り返し締めることが可能なトレーニングパンツはさらに、取り外し可能に固定されている第１のサイドパネルを備える。「取り外し可能に固定」という表現は、本明細書で用いられる場合、繰り返し締めることが可能なトレーニングパンツに一時的に固定および／または取り付けることを意味する。このため、取り外しても、繰り返し締めることが可能なトレーニングパンツの構成要素を損傷させるものではなく、または、繰り返し締めることが可能な取付け部が外れることもない。一部の実施形態によると、構成要素同士は、断絶可能な結合で取り外し可能に固定され得る。例えば、繰り返し締めることが可能なトレーニングパンツは、それぞれの第１のサイドパネルと、胴体部との間に第１の断絶可能な結合を持つとしてよい。他の実施形態では、第１のサイドパネルはそれぞれ、トップシートと脚回り境界部との間に形成されている対応するポケット内に取り外し可能に固定されているとしてよい。
【００２０】
「断絶可能な結合」という用語は、本明細書で用いられる場合、繰り返し締めることが可能なトレーニングパンツの構成要素同士の間での一時的な接続を意味する。これは、繰り返し締めることが可能な物品を開いて断絶可能な結合が断絶される際に、サイドパネルが損傷せず、繰り返し締めることが可能な取付け部が外れないように、サイドパネルを胴体部に取り付ける際に利用される結合よりも弱い。断絶可能な結合は、例えば、接着結合、超音波結合、または、熱結合であるとしてよい。
【００２１】
実施形態例によると、それぞれの第１のサイドパネルは、第１の折り曲げ部分が胴体部の第１の側方エッジと第２の側方エッジとの間に位置するように、胴体部内に内向きに折り曲げるとしてよい。このような実施形態によると、繰り返し締めることが可能なトレーニングパンツは、胴体部の第１の側方エッジと第２の側方エッジとの間において、各第１のサイドパネルの第１の折り曲げ部分と、胴体部との間において、第１の断絶可能な結合を含むとしてよい。例えば、第１の断絶可能な結合はそれぞれ、対応する第１のサイドパネルと胴体部との間に位置しているとしてよい。第１の断絶可能な結合は、トレーニングパンツを開いて着用する場合には断絶されるように、結合強度が十分に弱いとしてよい。
【００２２】
実施形態例によると、第２のサイドパネルはそれぞれ、第２の折り曲げ部分が胴体部の第１の側方エッジと第２の側方エッジとの間に位置するように、胴体部内に内向きに折り曲げられるとしてよい。このような実施形態では、繰り返し締めることが可能なトレーニングパンツはさらに、胴体部の第１の側方エッジと第２の側方エッジとの間において、各第２のサイドパネルの第２の折り曲げ部分と胴体部との間において、第２の断絶可能な結合を含むとしてよい。それぞれの第２のサイドパネルは、第３の折り曲げ部分が胴体部の第１の側方エッジと第２の側方エッジとの間に位置するように、各サイドパネルの第２の折り曲げ部分の上方に外向きに折り曲げるとしてよい。このような実施形態において、繰り返し締めることが可能なトレーニングパンツはさらに、胴体部の第１の側方エッジと第２の側方エッジとの間において、各第２のサイドパネルの第３の折り曲げ部分と胴体部との間において、第３の断絶可能な結合を含むとしてよい。
【００２３】
一部の実施形態において、第３の断絶可能な結合は、胴体部と第３の折り曲げ部分のうち少なくとも第１の突起部分との間に形成されるとしてよい。少なくとも第１の突起部分は、第３の折り曲げ部分の遠位領域の後方エッジまたは前方エッジから延在する。さらに別の実施形態において、繰り返し締めることが可能なトレーニングパンツはさらに、胴体部の第１の側方エッジと第２の側方エッジとの間において、各第２のサイドパネルの第３の折り曲げ部分と胴体部との間において、第４の断絶可能な結合を含むとしてよい。一部の実施形態において、第４の断絶可能な結合は、胴体部と第３の折り曲げ部分のうち第２の突起部分との間に形成されるとしてよい。第２の突起部分は、第３の折り曲げ部分の遠位領域の後方エッジまたは前方エッジのうち他方から延在している。
【００２４】
さらに別の実施形態では、第３の断絶可能な結合は、第３の折り曲げ部分と、各第２のサイドパネルの第２の折り曲げ部分との間に形成されるとしてよい。
【００２５】
一部の実施形態によると、各第２のサイドパネルは、各第２のサイドパネルの第２の折り曲げ部分が胴体部の第１の側方エッジと第２の側方エッジとの間に位置するように、胴体部内に内向きに折り曲げられているとしてよい。各第２のサイドパネルはこの後、各サイドパネルの第２の折り曲げ部分の上方に外向きに折り曲げるとしてよい。この結果、各第２のサイドパネルの第３の折り曲げ部分は、胴体部の第１の側方エッジと第２の側方エッジとの間に位置する。本実施形態では、第２の折り曲げ部分は、第３の折り曲げ部分に結合されないとしてよい。このような実施形態では、繰り返し締めることが可能なトレーニングパンツはさらに、胴体部の第１の側方エッジと第２の側方エッジとの間において、各第２のサイドパネルの第３の折り曲げ部分と胴体部との間において、第３の断絶可能な結合を含むとしてよい。一部の実施形態によると、第３の断絶可能な結合は、胴体部と第３の折り曲げ部分のうち少なくとも第１の突起部分との間に形成されるとしてよい。少なくとも第１の突起部分は、第３の折り曲げ部分の遠位領域の後方エッジまたは前方エッジから延在している。さらに別の実施形態では、繰り返し締めることが可能なトレーニングパンツはさらに、胴体部の第１の側方エッジと第２の側方エッジとの間において、各第２のサイドパネルの第３の折り曲げ部分と胴体部との間において、第４の断絶可能な結合を持つとしてよい。一部の実施形態において、第４の断絶可能な結合は、胴体部と第３の折り曲げ部分の第２の突起部分との間に形成されるとしてよい。第２の突起部分は、第３の折り曲げ部分の遠位領域の後方エッジまたは前方エッジのうち他方から延在している。
【００２６】
他の実施形態によると、第２の折り曲げ部分は、第３の折り曲げ部分に結合されているとしてよい。さらに別の実施形態によると、第３の断絶可能な結合は、胴体部の第１の側方エッジと第２の側方エッジとの間において、各第２のサイドパネルの第３の折り曲げ部分と、各第２のサイドパネルの第２の折り曲げ部分との間に形成されているとしてよい。
【００２７】
さらに別の実施形態では、繰り返し締めることが可能なトレーニングパンツは、断絶可能な結合を持たないとしてもよい。例えば、各第１のサイドパネルは、折り曲げた後、少なくとも一部分を、胴体部の第１および第２の側方エッジのそれぞれに隣接して設けられているポケットのうち対応する方に挿入するとしてよい。ポケットは、第１のサイドパネルの折り曲げ部分を胴体部に対して取り外し可能に取り付けるので、トレーニングパンツを開いて着用する場合、第１のサイドパネルの折り曲げ部分はポケットから取り出されるとしてよい。
【００２８】
実施形態例では、各第１のサイドパネルは、胴体部の上方に内向きに折り曲げられるとしてよく、各第１のサイドパネルの第１の折り曲げ部分は胴体部の第１の側方エッジと第２の側方エッジとの間に位置する。このような実施形態によると、第１のサイドパネルの第１の折り曲げ部分はそれぞれ、折り曲げた後、少なくとも一部分を、胴体部の第１の側方エッジおよび第２の側方エッジのそれぞれに隣接しているポケットのうち対応する方に挿入するとしてよい。
【００２９】
実施形態例によると、第２のサイドパネルはそれぞれ、各第２のサイドパネルの第２の折り曲げ部分が胴体部の第１の側方エッジと第２の側方エッジとの間に位置するように、胴体部の上方に内向きに折り曲げるとしてよい。各第２のサイドパネルは、各サイドパネルの第２の折り曲げ部分の上方に外向きに折り曲げるとしてよい。この結果、各第２のサイドパネルの第３の折り曲げ部分は、胴体部の第１の側方エッジと第２の側方エッジとの間に位置する。このような実施形態では、第２のサイドパネルの第３の折り曲げ部分および第２の折り曲げ部分はそれぞれ、折り曲げた後、胴体部の第１の側方エッジおよび第２の側方エッジのそれぞれに隣接しているポケットのうち対応する方に少なくとも一部分が挿入されるとしてよい。
【００３０】
実施形態例において、繰り返し締めることが可能なトレーニングパンツは、フック材料を含む取付け部を含む第１のサイドパネルを備えるとしてよい。一部の実施形態によると、フック材料を含む取付け部は、第１のサイドパネルの非体側に設けられているとしてよい。一部の実施形態によると、繰り返し締めることが可能なトレーニングパンツは、ループ材料を含む取付け部を含む第２のサイドパネルを備えるとしてよい。一部の実施形態によると、ループ材料を含む取付け部は、第２のサイドパネルの体側に配置されているとしてよい。さらに別の実施形態では、第２のサイドパネルは、第２のサイドパネル自体が取付け部として機能できるように、ループ材料を含むとしてよい。
【００３１】
サイドパネルの「非体側」という表現は、本明細書で用いる場合、サイドパネルのうち、繰り返し締めることが可能なトレーニングパンツを着用する人間の体には向いていない部分を意味する。言い換えると、体から見て外側を意味する。サイドパネルの「体側」という表現は、本明細書で用いる場合、サイドパネルのうち、繰り返し締めることが可能なトレーニングパンツを着用している人間の体に向いている部分を意味する。言い換えると、着用者の体に向けて内側を向いている側だ。
【００３２】
トレーニングパンツの胴体部は、少なくとも部分的に流体透過性であるトップシート、流体非透過性であるバックシート、および、トップシートとバックシートとの間に挟まれている吸収性コアを有するとしてよい。トップシートおよびバックシートは、外周に沿って結合されているとしてよい。このような実施形態では、各第１のサイドパネルは、胴体部の第１の側方エッジおよび第２の側方エッジのうち一方に離れないように取着されているとしてよく、第１の折り曲げ部分は、トップシートの上方に外周に対して内向きに折り曲げて、第１のサイドパネルのそれぞれの折り曲げ部分が胴体部に取り外し可能に固定されるようにするとしてよい。一部の実施形態によると、第１のサイドパネルの折り曲げ部分はそれぞれ、第１の断絶可能な結合によって胴体部に取り外し可能に固定されるとしてよい。別の実施形態によると、第１のサイドパネルの折り曲げ部分はそれぞれ、折り曲げ部分のうち少なくとも一部分を対応するポケットに挿入することによって、胴体部に取り外し可能に固定するとしてよい。
【００３３】
一部の実施形態によると、各第２のサイドパネルは、胴体部の第１の側方エッジおよび第２の側方エッジの一方に外れないように取着されているとしてよく、各第２のサイドパネルは、トップシートの上方で、第２の折り曲げラインに沿って、略Ｓ字形状に沿って折り曲げられており、胴体部の外周に対して内向きに折り曲げられている第２の折り曲げ部分を持つ。第３の折り曲げ部分は、第２の折り曲げ部分の上方において、第３の折り曲げラインに沿って折り曲げられている。
【００３４】
さらに、第２のサイドパネルの折り曲げ部分はそれぞれ、胴体部に取り外し可能に固定されているとしてよい。第２の折り曲げ部分はそれぞれ任意で、第２の断絶可能な結合によってトップシートに接続されているとしてよく、第３の折り曲げ部分はそれぞれ、少なくとも第３の断絶可能な接合によって、胴体部および／またはトップシートに接続されているとしてよい。さらに別の実施形態によると、上記に代えて、第３の折り曲げ部分はそれぞれ、第３の断絶可能な結合で第２の折り曲げ部分に接続されているとしてよい。さらに別の実施形態によると、第２のサイドパネルの折り曲げ部分はそれぞれ、折り曲げ部分の少なくとも一部分をポケットに挿入することによって、胴体部に取り外し可能に固定されるとしてよい。
【００３５】
第１および／または第２のサイドパネルは、下側エッジの形状が、着用者の脚に人体の構造的に適合するとしてよい。一部の実施形態によると、第１および第２のサイドパネルは共に、弾性材料で形成されているとしてよい。他の実施形態では、第１のサイドパネルおよび第２のサイドパネルの一方のみが弾性材料で形成されているとしてよい。したがって、一部の実施形態によると、第１または第２のサイドパネルは、非弾性材料で形成されているとしてよい。一部の実施形態によると、第１の取付け部および第２の取付け部の一方は、対応するサイドパネルを構成する材料で形成される表面ループで形成されるループ部を含むとしてよい。一部の実施形態によると、第１のサイドパネルは、第１および第２の側方エッジを横切る方向における長さが、第２のサイドパネルよりも大幅に大きいとしてよい。別の実施形態によると、第２のサイドパネルは、第１および第２の側方エッジを横切る方向における長さが、第１のサイドパネルよりも大幅に大きいとしてよい。さらに別の実施形態によると、第１および第２のサイドパネルは、第１および第２の側方エッジを横切る方向において、長さが略同じであるとしてよい。
【００３６】
繰り返し締めることが可能なトレーニングパンツの実施形態例を図１から図５に示す。図１から図５において、参照番号１０は、パンツ型の衣類と同様に着用が可能な繰り返し締めることが可能な物品１０を指す。繰り返し締めることが可能な物品１０は、胴体部１２を備える。胴体部は、２つの互いに対向する側方エッジ１４と、前方ウェストエッジ４１と、後方ウェストエッジ４３とによって画定されている。
【００３７】
図１を参照すると、胴体部１２は、少なくとも一部分が流体透過性材料で形成されるトップシート１６を有する。トップシート１１６の内面１８は、利用時には、着用者の皮膚と接触する。
【００３８】
トップシートは、ポリオレフィン繊維のメルトブローンウェブまたはスパンボンドウェブで形成されるとしてよい。トップシートはさらに、天然繊維および／または合成繊維で形成されるボンデッド・カーデッド・ウェブであってもよい。トップシートは、略疎水性の材料で形成されるとしてよく、この疎水性材料は任意で、表面活性剤で処理されるか、または、所望のレベルの湿潤性および親水性を与えるべく処理されるとしてよい。例えば、この疎水性材料は、アクティブ比３：１でホッジソン・テキスタイル・ケミカルズ（Ｈｏｄｇｓｏｎ  Ｔｅｘｔｉｌｅ  Ｃｈｅｍｉｃａｌｓ、米国ノースカロライナ州マウントホリー）社製のＡｈｃｏｖｅｌ  Ｎ−６２およびヘンケル・コーポレーション（Ｈｅｎｋｅｌ  Ｃｏｒｐｏｒａｔｉｏｎ、米国ペンシルバニア州アンブラー）社製のＧｌｕｃｏｐａｎ２２０ＵＰを含む約０．４５重量パーセントの表面活性剤混合物で表面処理するとしてよい。表面活性剤は、任意の従来の手段で塗布されるとしてよい。例えば、噴射、印刷、ブラシコーティング等によって塗布するとしてよい。表面活性剤は、トップシート１６全体に塗布されるとしてよく、または、トップシートのう特定部分、例えば、長手中央線に沿う中央部分のみに選択的に塗布されるとしてもよい。
【００３９】
適切な液体透過性を持つトップシート１６は、坪量が約２７ｇｓｍ（１平方メートル当たりのグラム）である二成分不織布である。二成分不織布は、スパンボンド二成分ウェブまたはボンデッド・カーデッド二成分ウェブであるとしてよい。適切な二成分ステープル繊維は、チッソ株式会社（日本、大阪）製のポリエチレン／ポリプロピレン二成分繊維を含む。この特定の二成分繊維では、ポリプロピレンがコアを形成し、ポリエチレンが繊維のシースを形成している。
【００４０】
トップシート１６は、内面１８に設けられている脚回り境界部分２１を含むとしてよい。脚回り境界部分２１は、体外排出物が横方向に流れる場合に閉じ込めるように構成されている。フラップ型弾性部材（図２）は、関連技術分野で公知であるように、適切な方法で各脚回り境界部分２１に動作可能に結合されるとしてよい。脚回り境界部分２１は、一対のエッジを画定しており、各エッジは、繰り返し締めることが可能な物品１０の少なくとも股領域２９において直立構造を取り、着用者の体に対して封止部を形成する。弾性を持つ脚回り境界部分２１は、横方向に互いに対向する側方エッジ、つまり、胴体部１２の側方エッジ１４に沿って配置するとしてよく、吸収性を持つ胴体部の全長にわたって長手方向に延在するか、または、胴体部１２の長さの一部分のみに沿って長手方向に延在するとしてよい。弾性を持つ脚回り境界部２１について適切な構造および配置は、当業者には概して公知であり、米国特許第４，７０４，１１６号（発明者：エンロー（Ｅｎｌｏｅ）、発行日：１９８７年１１月３日）に記載されている。
【００４１】
胴体部１２は、液体非透過性バックシート２０を有するとしてよい。バックシート２０は、液体非透過性材料から成る一の層であるとしてよいが、多層積層体構造を持ち、複数の層のうち少なくとも一の層が液体非透過性であることが望ましい。例えば、バックシート２０は、液体透過性外側層および液体非透過性内側層を含むとしてよく、外側層および内側層は、積層接着剤、超音波結合、熱結合等で適宜組み合わせるとしてよい。適切な積層接着剤は、ビーズ、スプレー、平行な渦巻き等として断続的または継続的に塗布されているとしてよいが、フィンドレー・アドヒーシブズ・インコーポレーテッド（Ｆｉｎｄｌｅｙ  Ａｄｈｅｓｉｖｅｓ，  Ｉｎｃ．、米国ウィスコンシン州ウォーワトサ）社製のもの、または、ナショナル・スターチ・アンド・ケミカル・カンパニー（Ｎａｔｉｏｎａｌ  Ｓｔａｒｃｈ  ａｎｄ  Ｃｈｅｍｉｃａｌ  Ｃｏｍｐａｎｙ、米国ニュージャージー州ブリッジウォーター）社製のものを利用することができる。
【００４２】
液体透過性外側層は、任意の適切な材料で形成することができ、概して布のような手触りが得られるものを利用することが望ましい。このような材料の一例としては、２０ｇｓｍ（１平方メートル当たりのグラム）のスパンボンドポリプロピレン不織布が挙げられる。外側層はさらに、液体透過性バックシート２０を形成可能な材料で形成するとしてもよい。外側層に液体透過性を持たせる必要はないが、比較的布に近い感触を着用者が得ることが望ましい
【００４３】
バックシート２０の内側層は、液体および気体をいずれも透過しない性質を持つとしてよく、または、液体は透過させないが気体は透過させるとしてもよい。内側層は、薄いプラスチック膜で製造されているとしてよいが、可撓性を持つ他の液体非透過性材料も利用可能であるとしてよい。内側層、または、一層構造の場合には液体非透過性バックシート２０は、汚物によって、寝具および衣服等の物品、および、着用者および介護者が濡れないようにする。液体非透過性内側層として利用するのに適切な液体非透過性膜、または、一層構造の場合には、液体非透過性バックシート２０は、ハンツマン・パッケージング（Ｈｕｎｔｓｍａｎ  Ｐａｃｋａｇｉｎｇ、米国バージニア州ニューポートニューズ）社から市販されている０．０２ミリメートルのポリエチレン膜である。バックシート２０は、一の層である場合、より布に近い外見が得られるようにエンボス加工および／またはマット仕上げが施されているとしてよい。上述したように、液体非透過性材料は、使い捨ての吸収性物品の内部から気体を逃がしつつも、液体はバックシート２０を透過しないようにするとしてよい。適切な「通気性」材料は、所望のレベルの液体非透過性を与えるべくコーティングまたは他の処理を行った微孔性ポリマー膜または不織布で形成されるとしてよい。適切な微孔性膜は、三井東圧化学株式会社（日本、東京）から市販されているＰＭＰ−１膜材料、または、３Ｍカンパニー（米国ミネソタ州ミネアポリス）社から市販されているＸＫＯ８０４４ポリオレフィン膜である。
【００４４】
胴体部１２はさらに、吸収性コア２２を有するとしてよい。吸収性コア２２は、バックシート２０とトップシート１６との間に配置されるとしてよく、バックシート２０およびトップシート１６は、接着剤、超音波接合、熱接合等の任意の適切な手段を用いて結合されているとしてよい。吸収性コア２２は、一般的に圧縮可能で、フィット感があり、着用者の皮膚を刺激せず、液体および特定の体外排出物を吸収して保持することが可能な任意の構造であってよい。吸収性コア２２は、多岐にわたるサイズおよび形状で製造されているとしてよく、関連技術分野で一般的に利用されている多岐にわたる液体吸収性材料から製造するとしてよい。例えば、吸収性コア２２は、セルロース繊維ウェブ等の親水性繊維マトリクスと、超吸収性材料として一般的に知られている高吸収性材料の粒子とを混合させたものを含むことが適切であるとしてよい。特定の実施形態によると、吸収性コア２２は、セルロース繊維、例えば、木材パルプ繊維のマトリクスと、超吸収性のヒドロゲル形成粒子を含むとしてよい。木材パルプ繊維の代わりに、合成繊維、ポリマー繊維、メルトブローン繊維またはショートカットホモフィル二成分合成繊維および天然繊維を利用するとしてよい。超吸収性粒子は、親水性繊維と略均一に混合させるとしてもよいし、または、非均一に混合させることもできる。繊維および超吸収性粒子はさらに、体外排出物の吸収および保持の効率を高めるために、吸収性コア２２のうち所望のゾーンに選択的に配置するとしてよい。超吸収性粒子の濃度は、吸収性コア２２の厚み方向に変化するとしてもよい。これに代えて、吸収性コア２２は、繊維ウェブおよび超吸収性材料の積層体、または、局所的に超吸収性材料を維持する他の適切な手段を含むとしてよい。
【００４５】
適切な超吸収性材料は、天然ポリマー、合成ポリマーおよび改良天然ポリマー、および、天然材料、合成材料および改良天然材料から選択されるとしてよい。超吸収性材料は、シリカゲル等の無機材料、または、架橋ポリマー等の有機化合物、例えば、ナトリウムで中和されたポリアクリル酸であってよい。適切な超吸収性材料は、ダウ・ケミカル・カンパニー（Ｄｏｗ  Ｃｈｅｍｉｃａｌ  Ｃｏｍｐａｎｙ、米国ミシガン州ミッドランド）およびシュトックハウゼン・ゲー・エム・ベー・ハー・アンド・シー・ケイジー、Ｄ−４７８０５（Ｓｔｏｃｋｈａｕｓｅｎ  ＧｍｂＨ  ＆  Ｃｏ．  ＫＧ，  Ｄ−４７８０５、ドイツ連邦共和国、クレーフェルト）等、さまざまな民間企業から入手可能である。超吸収性材料は通常、自身の水中重量の少なくとも約１５倍を吸収することが可能であり、自身の水中重量の約２５倍以上を吸収可能であることが望ましい。
【００４６】
一実施形態によると、形状が矩形または任意のその他の所望の形状であってよい吸収性コア２２は、木材パルプ繊維および超吸収性材料の混合物を含むとしてよい。パルプとして好ましい種類の一例は、Ｕ．Ｓ．アライアンス（Ｕ．Ｓ．  Ａｌｌｉａｎｃｅ、米国アラバマ州チルダーズバーグ）のＣＲ１６５４という商品名を持つもので、主要成分として柔らかい木質繊維を含み、約１６％の割合で固い木質繊維を含む、漂白済みの高吸収性硫酸塩木材パルプである。超吸収性材料は、吸収性コア２２に含まれる量が、吸収アセンブリの総重量に対して、０重量パーセントから約９０重量パーセントであるとしてよい。吸収性コア２２の密度は、約０．１０グラム／立法センチメートルから約０．３５グラム／立法センチメートルの範囲内の密度であることが適切である。吸収性コア２２は、吸収アセンブリの一体性および／または形状を維持できるよう適切な薄い包装材で包装または周囲を取り囲む構成としてもよいし、当該構成を採用しないとしてもよい。
【００４７】
胴体部１２はさらに、吸収性コア２２と共に、主要目的として液体を受け入れ、互いに対向する面に沿って吸収性コア２２で当該液体を一時的に貯蔵および／または移送する他の材料を含むとしてもよい。これによって、吸収アセンブリの吸収機能を最大限まで高める。一の適切な材料として、サージ層（不図示）と呼ばれ、坪量が約５０ｇｓｍ（１平方メートル当たりのグラム）から約１２０ｇｓｍを持つ材料を含むものがある。サージ層は、ポリエステルコア／ポリエチレンシースを含む３デニールのＴ２５６二成分繊維を６０パーセント、そして、６デニールのＴ２９５のポリエステル繊維を４０％の割合で均質に混合させている通気性ボンデッド・カーデッド・ウェブを含む。これら２つの材料は共に、コサ・コーポレーション（Ｋｏｓａ  Ｃｏｒｐｏｒａｔｉｏｎ、米国ノースカロライナ州ソールズベリ）社から市販されている。
【００４８】
トップシート１６およびバックシート２０は、胴体部１２の外周に沿って接合されているとしてよい。
【００４９】
一部の実施形態によると、繰り返し締めることが可能な物品１０は、製造時および販売時に、胴体部１２が、中央横方向折り曲げラインに沿って折り曲げられた状態であるとしてよい。中央横方向折り曲げラインは、図２にＡと示しており、胴体部の側方エッジ１４を横断するラインである。
【００５０】
図３に示すように、繰り返し締めることが可能な物品１０の製造時および販売時の状態の例では、胴体部１２が２つの折り曲げ部分１２ａ、１２ｂに分かれ、それぞれの部分のトップシート１６の内面１８が互いに対向した状態となる。
【００５１】
繰り返し締めることが可能な物品１０は、胴体部１２のそれぞれの側方エッジ１４に２つの前方サイドパネル２４および２つの後方サイドパネル２６が取り付けられているとしてよい。「前方」および「後方」といった単語は、繰り返し締めることが可能な物品１０をユーザが着用した状態を意味している。尚、前方サイドパネル２４および後方サイドパネル２６の向きは、一部の実施形態において反対にして、後方サイドパネル２６が着用時に前方になり、前方サイドパネル２４が着用時に後方になるとしてもよい。
【００５２】
このように横方向において対向するように配置されている前方サイドパネル２４および後方サイドパネル２６は、前方ウェスト領域および後方ウェスト領域の取付けライン６６に沿って外れないように胴体部１２に接合させることができる。より具体的には、図２および図３に示すように、前方サイドパネル２４は、前方ウェスト領域において、胴体部１２の側方エッジ１４に外れないように接合されており、胴体部１２の側方エッジ１４を超えて横方向に延在しているとしてよい。後方サイドパネル２６は、後方ウェスト領域において、胴体部１２の側方エッジに外れないように接合されており、胴体部１２の側方エッジを超えて横方向に延在しているとしてよい。サイドパネル２４および２６は、接着剤接合、熱接合または超音波接合等、当業者に公知の取付け手段を用いて取り付けるとしてよい。前方サイドパネル２４および後方サイドパネル２６は、取付けシステム４０で図示しているように、互いに対して取り外し可能に取り付けるとしてよい。
【００５３】
図示したサイドパネル２４および２６はそれぞれ、取付けライン６６から離れた遠位エッジ６８および６９、トレーニングパンツ１０の長手方向中央に向かって設けられている脚側端部エッジ４６、および、胴体部の長手方向端部に向かって設けられているウェスト側端部エッジ７２を画定している。脚側端部エッジ４６およびウェスト側端部エッジ７２は、胴体部１２の側方エッジ１４から遠位エッジ６８および６９の間に延在している。後方ウェスト領域において、脚側端部エッジ４６は、パンツの前方に比べてパンツの後方に向けて覆う範囲が広くなるように、横軸Ａに対して曲線状および／または斜めに構成されているとしてよい。ウェスト側端部エッジ７２は、この横軸Ａに対して平行であるとしてよい。前方サイドパネル２４のウェスト側端部エッジ７２は、吸収性の繰り返し締めることが可能な物品１０の前方ウェストエッジ４１の一部を形成しており、後方サイドパネル２６のウェスト側端部エッジ７２は、繰り返し締めることが可能な物品１０の後方ウェストエッジ４３の一部を形成している。
【００５４】
サイドパネル２４および２６はそれぞれ、１以上の独立した部分を含むとしてよい。特定の実施形態では、例えば、サイドパネル２４および２６はそれぞれ、シームで結合している第１および第２のサイドパネル部分を含むか、または、一の部品として構成されているとしてよい。
【００５５】
サイドパネル２４および２６は、トレーニングパンツ１０の横軸Ａに概して平行な方向に延伸可能な弾性材料を含むとしてよい。適切な弾性材料は、欧州特許文献第１  ９８２  ８２３  Ｂ１号および国際公開広報２００９／１３３５０８  Ａ１号といった文献に記載されている。
【００５６】
図３を参照しつつ、繰り返し締めることが可能な物品１０の製造時および販売時の状態において、前方サイドパネル２４は、第１の折り曲げ部分２４ａが、第１の折り曲げライン２８に沿って、胴体部１２の外周に対して内向きに、トップシート１６の内面１８の上方にくるように折り曲げられている。第１の折り曲げ部分２４ａは、トップシート１６の内面１８に対して、例えば、第１の断絶可能な結合３０で、取り外し可能に固定されているとしてよい。前方サイドパネル２４は、トップシート１６およびバックシート２０の側方エッジの間で、例えば、接合により固定されている固定部分２４ｂを持つとしてよい。
【００５７】
後方サイドパネル２６は、略Ｓ字形状に折り曲げるとしてよく、トップシート１６の内面１８の上方に来るように、胴体部１２の外周に対して内向きに、第２の折り曲げライン３２に沿って折り曲げられている第２の折り曲げ部分２６ａを持つとしてよい。後方サイドパネル２６はさらに、第２の折り曲げ部分２６ａの上方に第３の折り曲げライン３４に沿って折り曲げられている第３の折り曲げ部分２６ｂを持つとしてよい。後方サイドパネル２６は、トップシート１６およびバックシート２０の側方エッジの間において、例えば、接合によって固定されている固定部分２６ｃを持つとしてよい。
【００５８】
図４は、第２の折り曲げ部分２６ａとトップシート１６との間に形成される第２の断絶可能な結合３６の詳細を示す図である。図示しているように、後方サイドパネル２６の第２の折り曲げ部分２６ａは、内面１８の上方に来るように、胴体部１２の外周に対して内向きに折り曲げられているとしてよい。第２の折り曲げ部分２６ａとトップシート１６との間に、第２の断絶可能な結合３６がその後形成されるとしてよい。
【００５９】
図５は、第３の断絶可能な結合３８および第４の断絶可能な結合３９の詳細な内容を示す図である。図示されているように、後方サイドパネル２６の第３の折り曲げ部分２６ｂは、内面１８の上方に来るように、胴体部１２の外周に対して外向きに折り曲げるとしてよい。第２の折り曲げ部分２６ｂとトップシート１６との間に、第３および第４の断絶可能な結合３８、３９をこの後形成するとしてよい。第３および第４の断絶可能な結合３８、３９は、トップシート１６および後方サイドパネル２６の遠位領域の前方エッジおよび後方エッジから延在している第１の突起部分７４と第２の突起部分７４との間に形成されるとしてよい。
【００６０】
一部の実施形態によると、第２の断絶可能な結合３６は形成されないとしてよい。このような実施形態では、各第２のサイドパネルは、各サイドパネルの第２の折り曲げ部分２６ａの上方において外向きに折り曲げられて、各第２のサイドパネルの第３の折り曲げ部分２６ｂが胴体部の第１の側方エッジと第２の側方エッジとの間に位置するようになるとしてよい。このような実施形態では、繰り返し締めることが可能なトレーニングパンツはさらに、胴体部の第１の側方エッジと第２の側方エッジとの間において、胴体部と各第２のサイドパネルの第３の折り曲げ部分２６ｂとの間において、第３の断絶可能な結合３８を備えるとしてよい。一部の実施形態において、第３の断絶可能な結合３８は、胴体部と第３の折り曲げ部分の少なくとも第１の突起部分７４との間に形成されるとしてよい。少なくとも第１の突起部分７４は、第３の折り曲げ部分２６ｂの遠位領域の後方エッジまたは前方エッジから延在している。さらに別の実施形態によると、繰り返し締めることが可能なトレーニングパンツはさらに、胴体部の第１の側方エッジと第２の側方エッジとの間において、胴体部と各第２のサイドパネルの第３の折り曲げ部分２６ｂとの間において、第４の断絶可能な結合３９を備えるとしてよい。一部の実施形態によると、第４の断絶可能な結合３９は、胴体部と第３の折り曲げ部分２６ｂの第２の突起部分７４との間に形成されているとしてよい。第２の突起部分７４は、第３の折り曲げ部分２６ｂの遠位領域の後方エッジまたは前方エッジの他方から延在している。
【００６１】
一部の実施形態によると、第３の断絶可能な結合３８は、トップシート１６と各第２のサイドパネルの第３の折り曲げ部分２６ｂの第１の突起部分７４との間において形成されているとしてよく、第４の断絶可能な結合３９は、トップシート１６と各第２のサイドパネルの第３の折り曲げ部分２６ｂの第２の突起部分７４との間において形成されているとしてよい。一部の実施形態において、第１の突起部分７４は、第３の折り曲げ部分２６ｂの遠位領域の前方エッジまたは後方エッジの一方から延在しており、第２の突起部分７４は、第３の折り曲げ部分２６ｂの遠位領域の前方エッジおよび後方エッジの他方から延在している。後方サイドパネル２６は、トップシート１６およびバックシート２０の側方エッジの間において、例えば、接合によって固定されている固定部分２６ｃを持つ。
【００６２】
さらに別の実施形態において、第３の断絶可能な結合３８は、胴体部の第１の側方エッジと第２の側方エッジとの間において、各第２のサイドパネルの第３の折り曲げ部分２６ｂと、各第２のサイドパネルの第２の折り曲げ部分２６ａとの間において、形成されるとしてよい。
【００６３】
前方サイドパネル２４の第１の折り曲げ部分２４ａおよび後方サイドパネル２６の第３の折り曲げ部分２６ｂは、表面が互いに向かい合わせになっている。繰り返し締めることが可能な物品１０は、繰り返し締めることが可能な閉鎖部４０を形成する２つの取付け部を含むとしてよい。取付け部はそれぞれ、一または複数の取付け部で構成されるとしてよい。取付け部は、吸収性物品に適切となる、繰り返し締めることが可能な取付け部であれば任意のものを含むとしてよい。例えば、接着性取付け部、粘着性取付け部、機械的取付け部等が挙げられる。一部の実施形態によると、サイドパネルの材料自体が取付け部を構成しているとしてもよい。
【００６４】
特定の実施形態によると、取付け部は、より使いやすくなるように、機械的取付け部を構成するとしてよい。適切な機械的取付け部は、フック形状、ループ形状、球状、キノコ形状、矢じり形状、棒の上にボールが乗った形状、オス型およびメス型の係合部、バックル形状、スナップ形状等の、互いに係合する形状の部材によって提供されるとしてよい。特定の実施形態によると、取付け部および係合取付け部は、フック形状およびループ形状（マジックテープ（登録商標））の取付け部を含む。当業者であれば、フックおよびループの形状、密度およびポリマー組成は、所望の固定レベルを達成できるように取付け部および係合取付け部から選択されるものと認めるであろう。より強度の高いフック材料は、フックの平均高さがより高く、方向がそろったフックの割合が高く、または、より強度の高いフック形状の材料を含むとしてよい。
【００６５】
一実施形態において、繰り返し締めることが可能な物品１０は、２つの繰り返し締めることが可能な閉鎖部、例えば、取り外し可能に係合している、互いに補完的なフック型取付け部４２およびループ型取付け部４４を含む、繰り返し締めることが可能な取付けシステム４０を含むとしてよい。フック型およびループ型の取付け部４２、４４は、第１の折り曲げ部分２４ａおよび第３の折り曲げ部分２６ｂの、互いに向い合せになっている表面に固定されているとしてよい。取付けシステム４０のフック型取付け部は、前方サイドパネル２４または後方サイドパネル２６の一方に設けられているとしてよい。一実施形態によると、取付けシステム４０のループ型取付け部は、対応するサイドパネル２４または２６の材料の表面ループによって形成されるとしてよい。
【００６６】
各部分および各構成要素の相対的な寸法は、理解しやすいように、特に図３で故意に変更しているものと考えられたい。また、図３において、フック型取付け部４２およびループ型取付け部４４は、互いに別箇の（つまり、離間している）ものとして図示されている。これは上述したように理解しやすいように考慮しているためであり、繰り返し締めることが可能な物品１０において、最終的に製品として完成した時点、包装が完了した時点、および、販売している時点において、取付けシステム４０のフック型取付け部４２およびループ型取付け部４４は、繰り返し締めることが可能な物品を閉じた状態とするべく、互いに係合しているものと理解されたい。
【００６７】
第１、第２、第３および第４の断絶可能な結合３０、３６、３８および３９は、いわゆる「テクニカル」または「グリーン」な接着剤の層によって、または、熱結合または超音波結合等の緩い結合によって、形成されているとしてよい。適切な積層型接着部材は、ビーズ、スプレー、平行な渦巻き等として継続的または断続的に塗布されるとしてよく、Ｓａｖａｒe  Ｉ．Ｃ．（イタリア共和国、ミラノ）社製のＡＬ１１であってよい。一時的で断絶可能な結合３０、３６、３８および３９は、折り曲げ部分２４ａ、２６ａ、２６ｂが、製造中に、胴体部１２に対して外向きに「折り返される」という望ましくない事態を回避するべく、トップシート１６の内面１８に、折り曲げ部分２４ａ、２６ａ、２６ｂを、取り外し可能に固定した状態を維持するという目的を持つ。第１、第２、第３および第４の断絶可能な結合３０、３６、３８および３９は、繰り返し締めることが可能な物品１０を着用のために開く際に断絶するように構成されている。一部の実施形態によると、一時的で断絶可能な結合３０、３６、３８および３９は、開く際に断絶に対する抵抗が少なくとも２５Ｎとピークになるとしてよい。
【００６８】
図１０は、繰り返し締めることが可能な物品１０を開いて断絶可能な結合３０、３６、３８、３９を断絶した状態を示す図である。この状態では、折り曲げ部分２４ａ、２６ａ、２６ｂは、取り外し可能に固定していたものを外した後においては、互いに対向するエッジ１４のそれぞれにおいて胴体部１２から外向きに横方向に延在しており、繰り返し締めることが可能な物品１０のウェストラインのそれぞれの部分を画定しているとしてよい。図１１の詳細図は、一の前方サイドパネル２４と対応する後方サイドパネル２６との間の接続部分を示す図である。
【００６９】
図１および図２を参照すると、ある実施形態において、後方サイドパネル２６は、着用者の脚に人体の構造的に合う形状の脚側端部エッジ４６を持つとしてよい。一部の実施形態において、後方サイドパネル２６は、第１の突起部分７４を持つとしてよい。第１の突起部分７４は、後方サイドパネル２６の遠位領域の後方エッジおよび前方エッジの一方から延在しているとしてよい。一部の実施形態によると、後方サイドパネル２６は、２つの突起部分７４を持つとしてよく、第１の突起部分７４は、後方サイドパネル２６の遠位領域の後方エッジおよび前方エッジのうち一方から延在しており、第２の突起部分７４は、後方サイドパネル２６の遠位領域の後方エッジおよび前方エッジのうち他方から延在している。
【００７０】
ある実施形態において、前方サイドパネル２４または後方サイドパネル２６の一方は、弾性材料で形成されているとしてよい。前方サイドパネル２４および後方サイドパネル２６は共に、弾性材料で形成されているとしてよい。
【００７１】
ある実施形態において、繰り返し締めることが可能な物品１０は、２つの前方サイドパネル２４の間において、そして、２つの後方サイドパネル２６の間において、胴体部１２の２つの互いに対向するウェスト部分において延在する、２つの弾性ウェスト部材４８を含むとしてよい。他の実施形態において、２つの弾性ウェスト部材４８は、２つの前方サイドパネル２４の間、および、２つの後方サイドパネル２６の間の全距離にわたって延在しているわけではないとしてもよい。さらに別の実施形態によると、繰り返し締めることが可能な物品１０は、２以上の弾性ウェスト部材４８が、２つの前方サイドパネル２４の間において、そして、２つの後方サイドパネル２６の間において、延在しているとしてもよい。
【００７２】
ある実施形態において、胴体部１２はさらに、２つの弾性脚部材５０を備えるとしてよい。弾性脚部材５０は、互いに対向する側方エッジ１４に平行に延在しており、繰り返し締めることが可能な物品１０を着用者の脚の回りで密着させるための部材である。他の実施形態によると、胴体部１２は、繰り返し締めることが可能な物品１０を着用者の脚の回りで密着させるべく、２つ以上の弾性脚部材５０を含むとしてよい。
【００７３】
弾性ウェスト部材４８および弾性脚部材５０は、任意の適切な弾性材料で形成されるとしてよい。当業者には公知であるが、適切な弾性材料には、天然ゴム、合成ゴムまたは熱可塑性弾性重合体をシート状、糸状または帯状にしたものが含まれる。弾性材料は、延伸して基板に接着させるとしてよく、蛇腹状に変形させた基板に接着させるとしてよく、または、基板に接着させた後で、例えば、熱を加えることで、弾性化または収縮させるとしてよい。これによって、基板は弾性収縮力を持つようになる。一の特定の実施形態によると、例えば、弾性脚部材５０は、ＩＮＶＩＳＴＡ社（ＩＮＶＩＳＴＡビル、４１２３イースト３７番ストリートノース、ウィチタ、ＫＳ６７２２０、米国）のＬＹＣＲＡという商品名で販売されている複数の乾燥紡糸させて融合させたマルチフィラメントスパンデックスエラストマー糸を含む。
【００７４】
繰り返し締めることが可能なトレーニングパンツの別の実施形態例を図６から図９に図示する。図６から図９において、参照番号１００は、パンツのような衣類として着用可能な、繰り返し締めることが可能な物品１００を示す。繰り返し締めることが可能な物品１００は、胴体部１１２を含む。胴体部１１２は、２つの互いに対向する側方エッジ１１４、前方ウェストエッジ１４１および後方ウェストエッジ１４３によって画定される。
【００７５】
図６を参照すると、胴体部１１２は、少なくとも一部分が流体透過性を持つ材料で形成されているトップシート１１６を含むとしてよい。トップシート１１６の内面１１８は、使用時に、着用者の皮膚と接触する。
【００７６】
トップシートは、ポリオレフィン繊維のメルトブローンウェブまたはスパンボンデッドウェブで形成されるとしてよい。トップシートはさらに、天然繊維および／または合成繊維のボンデッド・カーデッド・ウェブであってもよい。トップシートは、略疎水性の材料で形成されるとしてよく、この疎水性材料は任意で、所望レベルの湿潤性および親水性を与えるように表面活性剤で処理するか、または、他の方法で処理するとしてよい。表面活性剤は、トップシート１１６全体に塗布されるとしてもよいし、または、長手中央線に沿った中央部分等、トップシートの特定部分に選択的に塗布されるとしてもよい。
【００７７】
トップシート１１６は、内面１１８に脚回り境界部１２１が設けられているとしてよい。脚回り境界部１２１は、体外排出物の横方向の流れをせき止める機能を持つ。脚回り境界部１２１は、一対のエッジ領域を画定しており、各エッジ領域は、繰り返し締めることが可能な物品１１０の少なくとも股領域１２９において直立構造を持つことにより着用者の体に対して封止を形成する。弾性を持つ脚回り境界部１２１は、互いに横方向において対向する側方エッジ、つまり、胴体部１１２の側方エッジ１１４に沿って配置されているとしてよく、胴体部１１２の長さに沿って延在するとしてよい。図７に図示されているように、脚回り境界部１２１は、胴体部１１２の隅において４つのポケット１８０を形成するように構成されているとしてよい。ポケット１８０は、トップシート１１６の内面１１８と、脚回り境界部１２１との間に形成されているとしてよい。
【００７８】
胴体部１１２は、流体非透過性のバックシート１２０を含むとしてよい。バックシート１２０は、液体非透過性材料で形成される一の層であるとしてよいが、多層積層構造を含むとしてもよく、複数の層のうち少なくとも一の層が液体非透過性であるとしてよい。
【００７９】
バックシート１２０の内側層は、液体および気体の両方に対して非透過性であるとしてよく、または、液体は透過させないが気体は透過させるとしてもよい。内側層は、薄いプラスチック膜で製造されているとしてよいが、可撓性を持つ他の液体非透過性材料も利用可能であるとしてよい。内側層、または、一層構造の場合には液体非透過性バックシート１２０は、汚物によって、寝具および衣服等の物品、および、着用者および介護者が濡れないようにする。
【００８０】
胴体部１１２はさらに、吸収性コア１２２を有するとしてよい。吸収性コア１２２は、バックシート１２０とトップシート１１６との間に配置されるとしてよく、バックシート１２０およびトップシート１１６は、接着剤、超音波接合、熱接合等の任意の適切な手段を用いて結合されているとしてよい。吸収性コア１２２は、一般的に圧縮可能で、フィット感があり、着用者の皮膚を刺激せず、液体および特定の体外排出物を吸収して保持することが可能な任意の構造であってよい。吸収性コア１２２は、多岐にわたるサイズおよび形状で製造されているとしてよく、関連技術分野で一般的に利用されている多岐にわたる液体吸収性材料から製造するとしてよい。
【００８１】
胴体部１１２はさらに、吸収性コア１２２と共に、主要目的として液体を受け入れ、互いに対向する面に沿って吸収性コア１２２で当該液体を一時的に貯蔵および／または移送する他の材料を含むとしてもよい。これによって、吸収アセンブリの吸収機能を最大限まで高める。
【００８２】
トップシート１１６およびバックシート１２０は、胴体部１１２の外周に沿って接合されているとしてよい。
【００８３】
このように横方向において対向するように配置されている前方サイドパネル１２４および後方サイドパネル１２６は、前方ウェスト領域および後方ウェスト領域の取付けライン１６６に沿って外れないように胴体部１１２に接合させることができる。より具体的には、図６および図７に示すように、前方サイドパネル１２４は、前方ウェスト領域において、胴体部１１２の側方エッジ１１４に外れないように接合されており、胴体部１１２の側方エッジ１１４を超えて横方向に延在しているとしてよい。後方サイドパネル１２６は、後方ウェスト領域において、胴体部１１２の側方エッジに外れないように接合されており、胴体部１１２の側方エッジを超えて横方向に延在しているとしてよい。サイドパネル１２４および１２６は、接着剤接合、熱接合または超音波接合等、当業者に公知の取付け手段を用いて取り付けるとしてよい。前方サイドパネル１２４および後方サイドパネル１２６は、取付けシステム１４０で図示しているように、互いに対して取り外し可能に取り付けるとしてよい。
【００８４】
図示したサイドパネル１２４および１２６はそれぞれ、取付けライン１６６から離れた遠位エッジ１６８および１６９、トレーニングパンツ１００の長手方向中央に向かって設けられている脚側端部エッジ１４６、および、胴体部の長手方向端部に向かって設けられているウェスト側端部エッジ１７２を画定している。脚側端部エッジ１４６およびウェスト側端部エッジ１７２は、胴体部１１２の側方エッジ１１４から遠位エッジ１６８および１６９の間に延在している。後方ウェスト領域において、脚側端部エッジ１４６は、パンツの前方に比べてパンツの後方に向けて覆う範囲が広くなるように、横軸Ａに対して曲線状および／または斜めに構成されているとしてよい。ウェスト側端部エッジ１７２は、この横軸Ａに対して平行であるとしてよい。前方サイドパネル１２４のウェスト側端部エッジ１７２は、繰り返し締めることが可能な物品１００の前方ウェストエッジ１４１の一部を形成しており、後方サイドパネル１２６のウェスト側端部エッジ１７２は、繰り返し締めることが可能な物品１００の後方ウェストエッジ１４３の一部を形成している。
【００８５】
サイドパネル１２４および１２６はそれぞれ、１以上の独立した部分を含むとしてよい。特定の実施形態では、例えば、サイドパネル１２４および１２６はそれぞれ、シームで結合している第１および第２のサイドパネル部分を含むか、または、一の部品として構成されているとしてよい。
【００８６】
サイドパネル１２４および１２６は、トレーニングパンツ１００の横軸Ａに概して平行な方向に延伸可能な弾性材料を含むとしてよい。一部の実施形態によると、サイドパネル１２４および１２６はどちらも、弾性材料を含むとしてよい。他の実施形態では、サイドパネル１２４のみが弾性材料を含むとしてよい。さらに別の実施形態によると、サイドパネル１２６のみが弾性材料を含むとしてよい。
【００８７】
実施形態によっては、繰り返し締めることが可能な物品１００は、側方エッジ１１４を横切る、図７に示した中央横断折り曲げラインＡに沿って胴体部１１２を折り曲げた状態で、製造および販売を行うとしてよい。
【００８８】
図９に示すような、繰り返し締めることが可能な物品１００の製造時および販売時の状態の例において、胴体部１１２の２つの折り曲げ部分１１２ａ、１１２ｂは、トップシート１１６の内面１１８が互いに向かい合うようになっているとしてよい。
【００８９】
繰り返し締めることが可能な物品１００は、胴体部１１２の側方エッジ１１４のそれぞれに取り付けられている、２つの前方サイドパネル１２４および２つの後方サイドパネル１２６を備えるとしてよい。このように横方向において対向するように配置されている前方サイドパネル１２４および後方サイドパネル１２６は、前方ウェスト領域および後方ウェスト領域の取付けライン１６６に沿って外れないように胴体部１１２に接合させることができる。より具体的には、図７に示すように、前方サイドパネル１２４は、前方ウェスト領域において、胴体部１１２の側方エッジ１１４に外れないように接合されており、胴体部１１２の側方エッジ１１４を超えて横方向に延在しているとしてよい。後方サイドパネル１２６は、後方ウェスト領域において、胴体部１１２の側方エッジに外れないように接合されており、胴体部１１２の側方エッジを超えて横方向に延在しているとしてよい。前方サイドパネル１２４は、トップシート１１６およびバックシート１２０の側方エッジの間において、例えば、接合によって、取り付けられている取付け部分１２４ｂをそれぞれ持つとしてよい。サイドパネル１２４および１２６は、接着剤接合、熱接合または超音波接合等、当業者に公知の取付け手段を用いて取り付けるとしてよい。前方サイドパネル１２４および後方サイドパネル１２６は、取付けシステム１４０で図示しているように、互いに対して取り外し可能に取り付けるとしてよい。
【００９０】
図９を参照しつつ、繰り返し締めることが可能な物品１００の製造時および販売時の状態において、前方サイドパネル１２４は、第１の折り曲げ部分１２４ａが、第１の折り曲げライン１２８に沿って、胴体部１１２の外周に対して内向きに、トップシート１１６の内面１１８の上方にくるように折り曲げられている。第１の折り曲げ部分１２４ａは、前方サイドパネル１２４のうち第１の折り曲げ部分１２４ａの少なくとも一部分を、トップシート１１６の内面１１８と脚回り境界部１２１との間に形成されているポケット１８０に挿入することによって、トップシート１１６の内面１１８に取り外し可能に固定するとしてよい。
【００９１】
後方サイドパネル１２６は、略Ｓ字形状に折り曲げるとしてよく、トップシート１１６の内面１１８の上方に来るように、胴体部１１２の外周に対して内向きに、第２の折り曲げライン１３２に沿って折り曲げられている第２の折り曲げ部分１２６ａを持つとしてよい。後方サイドパネル１２６はさらに、第２の折り曲げ部分１２６ａの上方に第３の折り曲げライン１３４に沿って折り曲げられている第３の折り曲げ部分１２６ｂを持つとしてよい。後方サイドパネル１２６は、トップシート１１６およびバックシート１２０の側方エッジの間において、例えば、接合によって固定されている固定部分１２６ｃを持つとしてよい。
【００９２】
図８は、後方サイドパネル１２６を折り曲げた様子を示す詳細図である。図示しているように、後方サイドパネル１２６の第２の折り曲げ部分１２６ａは、内面１１８の上方に来るように、胴体部１１２の外周に対して内向きに折り曲げられているとしてよい。図示されているように、後方サイドパネル１２６の第３の折り曲げ部分１２６ｂは、内面１１８の上方に来るように、胴体部１１２の外周に対して外向きに折り曲げるとしてよい。図８に示すように、脚回り境界部１２１は、折り曲げた後方サイドパネル１２６を収容するように構成されており、折り曲げた後方サイドパネル１２６は、トップシート１１６の内面１１８と脚回り境界部１２１との間に形成されているポケット１８０内に取り外し可能に固定されているとしてよい。
【００９３】
前方サイドパネル１２４の第１の折り曲げ部分１２４ａおよび後方サイドパネル１２６の第３の折り曲げ部分１２６ｂは、表面同士が互いに向かい合っているとしてよい。繰り返し締めることが可能な物品１００は、繰り返し締めることが可能な閉鎖部１４０を形成する２つの取付け部を含むとしてよい。取付け部はそれぞれ、一または複数の取付け部で構成されるとしてよい。取付け部は、吸収性物品に適切となる、繰り返し締めることが可能な取付け部であれば任意のものを含むとしてよい。例えば、接着性取付け部、粘着性取付け部、機械的取付け部等が挙げられる。一部の実施形態によると、サイドパネルの材料自体が取付け部を構成しているとしてもよい。
【００９４】
繰り返し締めることが可能な物品１００を開くと、ポケット１８０からサイドパネル１２４および１２６が取り出されるとしてよい。この状態では、折り曲げ部分１２４ａ、１２６ａおよび１２６ｂは、取り外し可能に固定していたものを外した後においては、互いに対向するエッジ１１４のそれぞれにおいて胴体部１２から外向きに横方向に延在しており、繰り返し締めることが可能な物品１１０のウェストラインのそれぞれの部分を画定しているとしてよい。図１０の詳細図は、本図で示した繰り返し締めることが可能な物品１００と同様の繰り返し締めることが可能な物品１０を開いて、同様のトレーニングパンツ製品となっている状態を示す図である。図１１の詳細図は、一例として、繰り返し締めることが可能な物品１０を示している図であり、繰り返し締めることが可能な物品１００の詳細な様子を示し、ポケット１８０から取り出した後の一の前方サイドパネル１２４と対応する後方サイドパネル１２６との間の接続の様子を示している。
【００９５】
＜繰り返し締めることが可能なトレーニングパンツの製造方法＞
繰り返し締めることが可能な物品を用意する方法を開示する。一部の実施形態によると、当該方法は、前方エッジ、後方エッジ、および、当該前方エッジと当該後方エッジとの間において長手方向に延在している第１および第２の側方エッジを有する胴体部を備える、繰り返し締めることが可能なトレーニングパンツを提供する段階を備える。繰り返し締めることが可能なトレーニングパンツは、胴体部の前方エッジおよび後方エッジの一方の近傍で胴体部に取り付けられている一対の第１のサイドパネルと、胴体部の前方エッジおよび後方エッジのうち他方の近傍で胴体部に取り付けられている一対の第２のサイドパネルとを備えるとしてよい。一対の第１のサイドパネルはそれぞれ、第１の取付け部を有し、一対の第２のサイドパネルはそれぞれ、第２の取付け部を有する。第１のサイドパネルは、胴体部の上方に位置するように内向きに折り曲げられており、第１の取付け部が胴体部の第１の側方エッジと第２の側方エッジとの間に位置している。第２のサイドパネルは、胴体部の上方に位置するように内向きに折り曲げられており、第２の取付け部は、胴体部の第１の側方エッジと第２の側方エッジとの間に位置している。当該方法はさらに、第１の取付け部および第２の取付け部が胴体部の第１の側方エッジと第２の側方エッジとの間に位置するようにしつつ、繰り返し締めることが可能となる方法で、第１の取付け部および第２の取付け部を係合させることを備える。
【００９６】
一部の実施形態によると、当該方法はさらに、繰り返し締めることが可能なトレーニングパンツを機械方向において折り曲げデバイスへと移送することを備える。繰り返し締めることが可能なトレーニングパンツは、折り曲げデバイスに移送されるとしてよい。第１のサイドパネルが胴体部の上方に位置するように内向きに折り曲げられるので、第１の取付け部は、胴体部の第１の側方エッジと第２の側方エッジとの間に配置され、第２のサイドパネルは、胴体部の上方に来るように内向きに折り曲げられるので、第２の取付け部は、胴体部の第１の側方エッジと第２の側方エッジとの間に配置されるようにする。特定の実施形態によると、当該方法はさらに、折り曲げデバイスによって、横方向の折り曲げラインに沿って、繰り返し締めることが可能なトレーニングパンツを折り曲げて、胴体部の第１の側方エッジと第２の側方エッジとの間において、第１のサイドパネルの第１の取付け部が第２のサイドパネルの第２の取付け部に向かい合うようにすることを備える。
【００９７】
一部の実施形態によると、当該方法はさらに、各第１のサイドパネルを内向きに胴体部の上方に来るように折り曲げて、各第１のサイドパネルの第１の折り曲げ部分および第１の取付け部が、胴体部の第１の側方エッジと第２の側方エッジとの間に配置されるようにする段階を備えるとしてよい。一部の実施形態によると、当該方法は、各第１のサイドパネルの第１の折り曲げ部分を、胴体部の第１の側方エッジと第２の側方エッジとの間において、胴体部に取り外し可能に固定する段階を備えるとしてよい。特定の実施形態によると、当該方法は、胴体部の第１の側方エッジと第２の側方エッジとの間において、胴体部と第１のサイドパネルのそれぞれの第１の折り曲げ部分との間において、第１の断絶可能な結合を形成する段階を備えるとしてよい。他の実施形態では、当該方法は、胴体部１１２と脚回り境界部１２１との間において形成されているポケット１８０を用いて、胴体部に第１の折り曲げ部分を取り外し可能に取り付ける段階を備えるとしてよい。
【００９８】
特定の実施形態において、当該方法はさらに、各第２のサイドパネルを胴体部の上方に来るように内向きに折り曲げて、各第２のサイドパネルの第２の折り曲げ部分が胴体部の第１の側方エッジと第２の側方エッジとの間に配置されるようにする段階を備えるとしてよい。このような実施形態において、第２の断絶可能な結合は、胴体部の第１の側方エッジと第２の側方エッジとの間において、胴体部と各第２のサイドパネルの第２の折り曲げ部分との間に形成されるとしてよい。特定の実施形態によると、当該方法はさらに、各第２のサイドパネルを当該サイドパネルの第２の折り曲げ部分の上方に来るように外向きに折り曲げて、各第２のサイドパネルの第３の折り曲げ部分が胴体部の第１の側方エッジと第２の側方エッジとの間に配置されるようにする段階を備えるとしてよい。このような実施形態によると、少なくとも第３の断絶可能な結合は、胴体部の第１の側方エッジと第２の側方エッジとの間において、胴体部と各第２のサイドパネルの第３の折り曲げ部分との間において形成されるとしてよい。一部の実施形態によると、第４の断絶可能な結合が、胴体部の第１の側方エッジと第２の側方エッジとの間において、胴体部と各第２のサイドパネルの第３の折り曲げ部分との間において形成されるとしてよい。
【００９９】
さらに別の実施形態によると、第３の断絶可能な結合は、胴体部の第１の側方エッジと第２の側方エッジとの間において、各第２のサイドパネルの第２の折り曲げ部分と、各第２のサイドパネルの第３の折り曲げ部分との間において、形成されるとしてよい。
【０１００】
一部の実施形態によると、当該方法は、胴体部の第１の側方エッジと第２の側方エッジとの間において、各第２のサイドパネルの第２および第３の折り曲げ部分を胴体部に取り外し可能に固定する段階を備えるとしてよい。実施形態によっては、当該方法は、トップシート１１６と脚回り境界部１２１との間において形成されるポケット１８０を用いて、第２および第３の折り曲げ部分を胴体部に取り外し可能に固定する段階を備えるとしてよい。
【０１０１】
一部の実施形態によると、繰り返し締めることが可能なトレーニングパンツは、パンツ胴体部の一部分を形成するべくトップシートを用意する段階と、繰り返し締めることが可能な取付け部を持つ第１のサイドパネルの一対をトップシートに取り付ける段階と、各第１のサイドパネルを折り曲げて（例えば、第１の折り曲げ部分をトップシートの上方に折り曲げることによって）第１の折り曲げ部分を形成する段階と、各第１のサイドパネルの第１の折り曲げ部分をパンツ胴体部に取り外し可能に取り付ける段階とを備える方法によって形成するとしてよい。「胴体部」および「パンツ胴体部」という用語は、本明細書で用いる場合、同じものを意味する。
【０１０２】
ある実施形態例によると、トップシートは、一続きのウェブとして用意されるとしてもよく、第１のサイドパネルは、トップシートに取り付けられて、折り曲げられるとしてよく、第１の断絶可能な結合は、トップシートが一続きのウェブとして存在している間に形成されるとしてよい。トップシートは、第１および第２の側方エッジを有し、第１の断絶可能な結合は、トップシートの第１の側方エッジと第２の側方エッジとの間に形成されるとしてよい。
【０１０３】
別の実施形態例によると、トップシートは、一続きのウェブとして用意されるとしてよく、第１のサイドパネルは、トップシートに取り付けられて折り曲げられ、少なくとも一部分が、胴体部と脚回り境界部１２１との間に形成されるポケット１８０に挿入されるとしてよい。
【０１０４】
一部の実施形態によると、繰り返し締めることが可能なトレーニングパンツを形成する方法はさらに、一対の第２のサイドパネルをトップシートに取り付ける段階を備えるとしてよい。第２のサイドパネルは、折り曲げられて、第３の折り曲げ部分を形成するとしてよい。第２のサイドパネルは、トップシートの上方に来るように折り曲げられるとしてよく、第２の折り曲げ部分を形成するとしてよい。第２の断絶可能な結合は、第２の折り曲げ部分とトップシートとの間において、形成されるとしてよい。第３および第４の断絶可能な結合は、第３の折り曲げ部分とトップシートとの間において形成されるとしてよい。一部の実施形態によると、第３の断絶可能な結合は、これに代えて、第２の折り曲げ部分と第３の折り曲げ部分との間において形成されるとしてよい。
【０１０５】
他の実施形態によると、繰り返し締めることが可能なトレーニングパンツを形成する方法は、一対の第２のサイドパネルをトップシートに取り付ける段階をさらに備えるとしてよい。第２のサイドパネルは、第３の折り曲げ部分を形成するべく折り曲げられるとしてよい。第２のサイドパネルは、トップシートの上方に来るように折り曲げられるとしてよく、第２の折り曲げ部分を形成するとしてよい。第２のサイドパネルの第２および第３の折り曲げ部分はそれぞれ、少なくとも一部分が、胴体部と脚回り境界部１２１との間に形成されるポケット１８０に挿入されるとしてよい。
【０１０６】
一部の実施形態によると、当該方法はさらに、トップシートならびに第１および第２のサイドパネルに重ねられ固定されているバックシートを形成する一続きのウェブ材料を用意する段階を備えるとしてよい。
【０１０７】
図１２は、図１から図５で例示しているトレーニングパンツを製造するプロセスの一例を概略的に示す図である。本例では、第１のサイドパネルは、第２のサイドパネルを胴体部に取り付ける前に、胴体部に取り付けられているとしてよい。しかし、第１のサイドパネルを胴体部に取り付けるのは、第２のサイドパネルを胴体部に取り付ける前でも後でもよいことに留意されたい。
【０１０８】
図１２の図示内容では、参照番号３００は、トップシート１６を形成する一続きのウェブ材料のソースを表している。参照番号３０２は、前方サイドパネル２４を形成する一続きのウェブ材料のソースを示す。前方サイドパネル２４は、繰り返し締めることが可能な取付けシステム４０の取付け部４４を含むとしてよい。第１のサイドパネル取付けデバイス３０４において、前方サイドパネル２４は、切断された後にトップシート１６に取り付けられるとしてよい。例えば、前方サイドパネル２４は、熱接合または超音波接合等で、トップシート１６に接合されるとしてよい。
【０１０９】
第１のサイドパネル折り曲げデバイス３０６において、前方サイドパネル２４は、トップシート１６の上方に来るように折り曲げられ、第１の折り曲げ部分２４ａを形成するとしてよい。「折り曲げユニット」、「サイドパネル折り曲げデバイス」および「折り曲げデバイス」等の用語は、本明細書で用いられる場合、同じものを意味する。第１の固定デバイス３０８において、第１の断絶可能な結合３０を形成するとしてよい。一部の実施形態によると、第１の固定デバイス３０８は、断絶可能な結合形成デバイスであってよい。断絶可能な結合が熱結合または超音波結合で形成される実施形態において、熱結合デバイスまたは超音波結合デバイスは、第１の断絶可能な結合３０を形成するために熱結合または超音波結合を形成するべく利用されているとしてよい。これに代えて、断絶可能な接続部は、接着剤で形成されるとしてもよい。接着剤を利用する場合、当該接着剤は、前方サイドパネル２４を折り曲げる前に塗布されるとしてよい。
【０１１０】
参照番号３１０は、後方サイドパネル２６を形成する少なくとも１つの一続きのウェブ材料のソースを示す。後方サイドパネル２６は、繰り返し締めることが可能な取付けシステム４０の取付け部４２を含むとしてよい。第２のサイドパネル取付けデバイス３１２において、後方サイドパネル２６は、切断された後でトップシート１６に取り付けられるとしてよい。第２のサイドパネル折り曲げデバイス３１４において、後方サイドパネル２６は、トップシート１６の上方に来るように折り曲げられて、第２の折り曲げ部分２６ａを形成するとしてよい。第２の固定デバイス３１６において、第２の断絶可能な結合３６が形成されるとしてよい。断絶可能な接続が熱結合または超音波結合により形成される実施形態において、熱結合デバイスまたは超音波結合デバイスは、第２の断絶可能な結合３６を形成するべく、熱結合または超音波結合を形成するべく利用されるとしてよい。これに代えて、断絶可能な接続は接着剤を用いて形成されるとしてよい。接着剤を利用する場合、当該接着剤は、後方サイドパネル２６を折り曲げる前に塗布されるとしてよい。
【０１１１】
第３のサイドパネル折り曲げデバイス３１８において、後方サイドパネルは、第３の折り曲げラインに沿って折り曲げられ、第３の折り曲げ部分２６ｂを形成するとしてよい。第３の固定デバイス３２０において、第３および第４の断絶可能な結合３８、３９が形成されるとしてよい。断絶可能な接続が熱結合または超音波結合によって形成される実施形態において、熱結合デバイスまたは超音波結合デバイスは、第３および第４の断絶可能な結合３８、３９を形成するべく熱結合または超音波結合を形成するために利用されるとしてよい。これに代えて、断絶可能な接続は、接着剤で形成されるとしてもよい。接着剤を用いる場合、当該接着剤は、後方サイドパネル２６を折り曲げる前に塗布されるとしてよい。さらに別の実施形態において、第３の固定デバイス３２０は、胴体部の第１の側方エッジと第２の側方エッジとの間において、各第２のサイドパネルの第３の折り曲げ部分と、各第２のサイドパネルの第２の折り曲げ部分との間において、第３の断絶可能な結合を形成するために用いられるとしてよい。
【０１１２】
弾性ウェブバンド取付けユニット３２２は、弾性ウェストバンド４８をトップシート１６に取り付けるとしてよい。
【０１１３】
参照番号３２４は、バックシート２０を形成する一続きのウェブ材料のソースを表す。弾性脚部材５０は、バックシート２０に取り付けられるとしてよい。そして、ソース３２６から供給される吸収性コア２２は、バックシート２０に取り付けられるとしてよい。
【０１１４】
前方サイドパネル２４および後方サイドパネル２６、ならびに、弾性ウェストバンド４８を備えるトップシート１６はこの後、弾性脚部材５０および吸収性コア２２を備えるバックシート２０に重ねられて取り付けられるとしてよい。
【０１１５】
切断ステーション３２８は、一続きのウェブを横方向に切断して、ローラ３３０の外面上に真空を利用して維持される、繰り返し締めることが可能な物品１０の中間製品を形成するとしてよい。
【０１１６】
折り曲げ装置３３２は、横方向の折り曲げラインＡに沿って繰り返し締めることが可能な物品１０を折り曲げる。一部の実施形態によると、折り曲げ装置３３２は、折り曲げ処理中は、真空を用いて所定位置に繰り返し締めることが可能な物品１０を維持するとしてよい。例えば、折り曲げ装置３３２は、真空ニップローラおよび／または真空コンベヤを含むとしてよい。他の実施形態では、折り曲げ装置３３２は、真空を利用することなく、繰り返し締めることが可能な物品１０に対して折り曲げ処理を実行するとしてよい。サイドパネルに対する断絶可能な結合が形成されていること、および、胴体部１２の外周に対して内向きにサイドパネル２４および２６の折り曲げ部分２４ａ、２６ａおよび２６ｂを位置決めすることによって得られる安定性によって、商業的製造速度が真空を利用することなく実現されるという利点があることが分かっている。
【０１１７】
繰り返し締めることが可能な物品１０を折り曲げ装置３３２で折り曲げる場合、繰り返し締めることが可能な取付けシステム４０の取付け部材４２、４４と前方サイドパネル２４および後方サイドパネル２６とは、断絶可能な結合によって、側方エッジ１４と折り曲げ部分２４ａ、２６ａおよび２６ｂとの間において胴体部の内側に維持されるとしてよい。
【０１１８】
一部の実施形態によると、折り曲げ装置３３２で実行される横方向折り曲げ処理によって、繰り返し締めることが可能な取付けシステム４０のフック型取付け部４２およびループ型取付け部４４を互いに接触させるとしてよい。他の実施形態では、折り曲げ装置３３２で実行される横方向折り曲げ処理は、例えば、真空を利用して、フック型取付け部４２とループ型取付け部４４との間を分離させた状態を維持しつつ、実行されるとしてもよい。フック型取付け部４２およびループ型取付け部４４は、押圧ローラ３３４によって互いに接続されて、繰り返し締めることが可能な物品１０の最終製品を形成するとしてよい。繰り返し締めることが可能な物品１０はこのように、閉じて「予め締めた」状態にするとしてよい。繰り返し締めることが可能な物品１０は、この状態で包装され販売されるとしてよい。
【０１１９】
一部の実施形態によると、後方サイドパネル２６を形成する方法を提供する。図１３は、後方サイドパネル２６を製造する方法の一例を概略的に示す図である。
【０１２０】
図１３の図示内容によると、参照番号２４０は、後方サイドパネル２６を形成する一続きのウェブ材料２４１のソースを表している。サイドパネル用の一続きのウェブ材料２４１は、２つの長手方向の側方エッジ２６２の間に延在しており、長さは長手方向のエッジに略平行であるとしてよい。切断ユニット２４３において、後方サイドパネル２６を形成するウェブ材料２４１の少なくとも一部分２４５を、繰り返し所定間隔で、一続きのウェブから切断するとしてよい。一部の実施形態によると、この所定間隔は、後方サイドパネル２６の所望のサイズに応じて決まるとしてよい。一部の実施形態によると、ウェブ材料２４１の少なくとも一部分２４５は、２つの側方エッジ２６２の間の中央領域から切断されるとしてよい。「中央領域」という用語は、本明細書で用いられる場合、２つの側方エッジ２６２の間の中央に位置している領域を意味する。
【０１２１】
参照番号２４８は、ループ材料２５０を形成する一続きのウェブ材料のソースを示す。ループ材料２５０は、後方サイドパネル用の一続きのウェブ材料の長手方向エッジ２６２の間において、２つの長手方向のエッジの間における中央領域で、後方サイドパネル用の一続きのウェブ材料２４１の長手方向に沿って取り付けられるとしてよい。連結ローラ２４６は、サイドパネル用の一続きのウェブ材料２４１と、ループ材料２５０の一続きのウェブ材料とを組み合わせるために用いられるとしてよく、両ウェブ材料は、接合ユニット２５４を用いて接合されるとしてよい。この接合は、当業者に公知の手段を用いて行うとしてよい。例えば、これらに限定されないが、超音波接合を利用するとしてよい。最後に、組み合わせた両ウェブ材料に切断ユニット２５６を通過させるとしてよい。切断ユニット２５６は、組み合わせた両ウェブ材料を、サイドパネル用の一続きのウェブ材料２４１の長手方向に沿って、ループ材料２５０用の一続きのウェブおよびサイドパネル用の一続きのウェブ材料２４１の組み合わせの中央の近傍において、２つの側方エッジ２６２の間において、切断する。一部の実施形態によると、組み合わせた両ウェブ材料はさらに、サイドパネル用の一続きのウェブ材料２４１およびループ材料２５０用の一続きのウェブの組み合わせを、サイドパネル用の一続きのウェブ材料２４１の長手方向を横断するように、後方サイドパネルを形成するウェブ材料の少なくとも一部分２４５が一続きのウェブから切断された領域において、切断することによって、一対の後方サイドパネル２６毎に切断されるとしてよい。
【０１２２】
図１４Ａに図示されているように、後方サイドパネルを形成するウェブ材料の少なくとも一部分を、繰り返し所定間隔で、一続きのウェブから切断するとしてよい。一部の実施形態によると、切断部分２４５は、台形形状を持つとしてよい。他の実施形態によると、切断部分２４５は、矩形形状または正方形形状を持つとしてよい。
【０１２３】
図１４Ｂの図示内容によると、帯状ループ材料２５０は、後方サイドパネル２６を形成するウェブ材料２４１に取り付けられるものとして図示されている。図１４Ｂに図示されている実施形態では、帯状ループ材料２５０は、２つの側方エッジ２６２の間において取り付けられるとしてよい。一部の実施形態によると、帯状ループ部材２５０は、２つの側方エッジ２６２の間の中央に取り付けられるとしてよい。
【０１２４】
図１４Ｃの図示内容において、そして、一部の実施形態によると、組み合わせた両ウェブ材料は、２つの側方エッジ２６２の間の中央で切断されるものとして図示されている。一部の実施形態によると、組み合わせた両ウェブ材料はさらに、後方サイドパネルを形成するウェブ材料の少なくとも一部分が後方サイドパネル用の一続きのウェブ材料２４１から切断された領域において、切断部分２４５を分離することによって、一対の後方サイドパネル２６毎に切断されるとしてよい。
【０１２５】
図１４Ｄに示すように、切断した後方サイドパネル２６は、上述したように突起部分７４を持つとしてよい。一部の実施形態によると、このような突起部分はループ材料２５０の一続きのウェブによって形成されているとしてよい。
【０１２６】
一部の実施形態によると、図１３および図１４Ａから図１４Ｄに示す一連のステップは、オフライン処理で実行されるとしてよい。他の実施形態によると、図１４Ｃに図示したサイドパネル用の一続きのウェブ材料２４１およびループ材料２５０用の一続きのウェブの組み合わせは、上述したように切断ユニット２５６で長手方向に分断された後に、一対毎に切断されてトップシート１６に取り付けられる後方サイドパネル２６を形成する一続きのウェブ材料１０２のソースとして、繰り返し締めることが可能な物品の製造プロセスに供給されるとしてよい。このようなトレーニングパンツ製造プロセスは、図１２に図示されている。
【０１２７】
図１５は、図６から図９に例示されているトレーニングパンツを製造するプロセスの一例を示す概略図である。
【０１２８】
図１５の図示内容において、参照番号４００は、トップシート１１６を形成する一続きのウェブ材料のソースを示している。参照番号４０２は、前方サイドパネル１２４を形成する一続きのウェブ材料のソースを示している。前方サイドパネル１２４は、繰り返し締めることが可能な取付けシステム１４０の取付け部１４４を含むとしてよい。第１のサイドパネル取付け装置４０４において、前方サイドパネル１２４を切断した後でトップシート１１６に取り付けるとしてよい。例えば、前方サイドパネル１２４は、熱結合または超音波結合等でトップシート１１６に結合されるとしてよい。
【０１２９】
脚回り境界部取付けユニット４０５は、脚回り境界部１２１をトップシート１１６に取り付けるために設けられているとしてよい。脚回り境界部取付けユニット４０５は、脚回り境界部１２１を、接着剤で、または、熱結合または超音波結合によって、トップシート１１６に取り付けるとしてよい。脚回り境界部１２１は、トップシート１１６の隅に隣接してポケット１８０を形成するように構成されるとしてよい。ポケット１８０は、折り曲げた前方サイドパネル１２４および後方サイドパネル１２６の少なくとも一部分を固定して、折り曲げ装置４３２で実行される横方向折り曲げ処理によって繰り返し締めることが可能な取付けシステム１４０のフック型取付け部１４２およびループ型取付け部１４４を互いに接触させるべく、用いられるとしてよい。
【０１３０】
第１のサイドパネル折り曲げデバイス４０６において、前方サイドパネル１２４をトップシート１１６の上方に来るように折り曲げて、第１の折り曲げ部分１２４ａを形成するとしてよい。第１の固定デバイス４１６において、折り曲げた前方サイドパネル１２４は、胴体部の第１および第２の側方エッジの一方に隣接して配置されているポケット１８０に少なくとも一部分が挿入されるとしてよい（つまり、入れ込まれるとしてよい）。一部の実施形態によると、第１の固定デバイス４１６は、入れ込みデバイスを含むとしてよい。一部の実施形態によると、第１の固定デバイス４１６は、胴体部１１２のトップシート１１８と脚回り境界部１２１との間に形成されているポケット１８０に、折り曲げた前方サイドパネル１２４の少なくとも一部分を挿入するとしてよい。
【０１３１】
参照番号４１０は、後方サイドパネル１２６を形成する少なくとも１つの一続きのウェブ材料のソースを示している。後方サイドパネル１２６は、繰り返し締めることが可能な取付けシステム１４０の取付け部材１４２を含むとしてよい。第２のサイドパネル取付けデバイス４１２において、後方サイドパネル１２６は切断された後トップシート１１６に取り付けられるとしてよい。第２のサイドパネル折り曲げデバイス４１４において、後方サイドパネル１２６は、トップシート１１６の上方に折り曲げられて、第２の折り曲げ部分１２６ａを形成するとしてよい。第３のサイドパネル折り曲げデバイス４１８において、後方サイドパネル１２６を再度折り曲げて、第２の折り曲げ部分１２６ｂを形成するとしてよい。
【０１３２】
第２の固定デバイス４２０において、折り曲げた後方サイドパネル１２６は、胴体部１１２の第１の側方エッジおよび第２の側方エッジの一方に隣接して配置されているポケット１８０の内部に少なくとも一部分が挿入される（つまり、入れ込む）としてよい。一部の実施形態によると、第２の固定デバイス４２０は、胴体部１１２の脚回り境界部１２１とトップシート１１８との間に形成されるポケット１８０に、折り曲げた後方サイドパネル１２６の少なくとも一部分を挿入するとしてよい。
【０１３３】
弾性帯状ウェブ取付けユニット４２２は、弾性帯状ウェブ１４８をトップシート１１６に取り付けるとしてよい。
【０１３４】
参照番号４２４は、バックシート１２０を形成する一続きのウェブ材料のソースを示す。弾性脚部材１５０をバックシート１２０に取り付けるとしてよい。そして、ソース４２６から供給される吸収性コア１２２をバックシート１２０に取り付けるとしてよい。
【０１３５】
前方サイドパネル１２４および後方サイドパネル１２６、ならびに、弾性ウェストバンド１４８を備えるトップシート１１６を、弾性脚部材１５０および吸収性コア１２２を備えるバックシート１２０に重ねて固定するとしてよい。
【０１３６】
切断ステーション４２８は、一続きのウェブを横方向に切断して、ローラ４３０の外面上に真空を利用して維持される、繰り返し締めることが可能な物品１００の中間製品を形成するとしてよい。
【０１３７】
折り曲げ装置４３２は、横方向の折り曲げラインＡに沿って繰り返し締めることが可能な物品１００を折り曲げるとしてよい。一部の実施形態によると、折り曲げ装置４３２は、折り曲げ処理中は、真空を用いて所定位置に繰り返し締めることが可能な物品１００を維持するとしてよい。例えば、折り曲げ装置４３２は、真空ニップローラおよび／または真空コンベヤを含むとしてよい。他の実施形態では、折り曲げ装置４３２は、真空を利用することなく、繰り返し締めることが可能な物品１００に対して折り曲げ処理を実行するとしてよい。
【０１３８】
繰り返し締めることが可能な物品１００を折り曲げ装置４３２で折り曲げる場合、繰り返し締めることが可能な取付けシステム１４０の取付け部材１４２、１４４ならびに前方サイドパネル１２４および後方サイドパネル１２６は、取り外し可能な接続部、例えば、ポケット１８０によって、側方エッジ１１４と折り曲げ部分１２４ａ、１２６ａおよび１２６ｂとの間に維持されるとしてよい。
【０１３９】
一部の実施形態によると、折り曲げ装置４３２で実行される横方向折り曲げ処理によって、繰り返し締めることが可能な取付けシステム１４０のフック型取付け部１４２およびループ型取付け部１４４を互いに接触させるとしてよい。他の実施形態では、折り曲げ装置４３２で実行される横方向折り曲げ処理は、例えば、真空を利用して、フック型取付け部１４２とループ型取付け部１４４との間を分離させた状態を維持しつつ、実行されるとしてもよい。フック型取付け部１４２およびループ型取付け部１４４は、押圧ローラ４３４によって互いに接続されて、繰り返し締めることが可能な物品１００の最終製品を形成するとしてよい。繰り返し締めることが可能な物品１００はこのように、閉じて「予め締めた」状態にするとしてよい。繰り返し締めることが可能な物品１００は、この状態で包装され販売されるとしてよい。
【０１４０】
＜繰り返し締めることが可能なトレーニングパンツの製造装置＞
繰り返し締めることが可能な物品の製造装置をさらに開示する。一の側面によると、当該装置は、第１の繰り返し締めることが可能な取付け部材を持つ第１のサイドパネルを、パンツ胴体部の第１の側方エッジに取り付ける第１のサイドパネル取付けデバイスを備える。当該装置は、第１のサイドパネルを受け取って、パンツ胴体部の側方エッジを略横断する方向に第１のサイドパネルを折り曲げて、第１の折り曲げ部分を形成する第１のサイドパネル折り曲げデバイスを備える。第１の折り曲げ部分は、パンツ胴体部に取り付けられると、パンツ胴体部の上方に来るように内向きに折り曲げられて、パンツ胴体部の第１の側方エッジと第２の側方エッジとの間に延在する。当該装置はさらに、第１のサイドパネルの第１の折り曲げ部分をパンツ胴体部に取り付ける固定デバイスを備える。
【０１４１】
一部の実施形態によると、当該装置は、パンツ胴体部を第１のサイドパネル取付けデバイスに移送する第１の移送デバイスを備えるとしてよい。第１の移送デバイスは、一続きのトップシート材料用ウェブとして、パンツ胴体部を移送するとしてよい。
【０１４２】
一部の実施形態によると、当該装置は、第２の繰り返し締めることが可能な取付け部を持つ第２のサイドパネルを、パンツ胴体部の第１の側方エッジに隣接するようにパンツ胴体部に取り付ける第２のサイドパネル取付けデバイスを備えるとしてよい。当該装置はさらに、第２のサイドパネルを受け取り、パンツ胴体部の第２の側方エッジを略横断する第２の方向に第２のサイドパネルを折り曲げて、第２の折り曲げ部分を形成する第２のサイドパネル折り曲げデバイスを備えるとしてよい。第２の折り曲げ部分は、パンツ胴体部に取付けられると、パンツ胴体部の上方に来るように内向きに折り曲げられ、パンツ胴体部の第１の側方エッジと第２の側方エッジとの間に延在するとしてよい。特定の実施形態によると、当該装置はさらに、パンツ胴体部と第２のサイドパネルの第２の折り曲げ部分との間に第２の断絶可能な結合３６を形成する第２の断絶可能な結合形成デバイスを備えるとしてよい。
【０１４３】
一部の実施形態によると、当該装置は、第２のサイドパネルを受け取って、第２のウェストエッジを略横断する第３の方向に当該サイドパネルを折り曲げて、第３の折り曲げ部分を形成する第３のサイドパネル折り曲げデバイスを備えるとしてよい。第３の折り曲げ部分は、第２の折り曲げ部分の上方に来るように外向きに折り曲げるとしてよい。
【０１４４】
一部の実施形態によると、当該装置はさらに、パンツ胴体部と第２のサイドパネルの第３の折り曲げ部分との間に、第３の断絶可能な結合３８を形成する第３の断絶可能な結合形成デバイスを備えるとしてよい。一部の実施形態によると、当該装置はさらに、パンツ胴体部と第２のサイドパネルの第３の折り曲げ部分との間に第４の断絶可能な結合３９を形成する第４の断絶可能な結合形成デバイスを備えるとしてよい。一部の実施形態によると、第３の断絶可能な結合３８は、各第２のサイドパネルの第３の折り曲げ部分の第１の突起部分７４と、パンツ胴体部との間に形成されるとしてよい。第１の突起部分７４は、第３の折り曲げ部分の遠位領域の後方エッジまたは前方エッジの一方から延在している。一部の実施形態において、第４の断絶可能な結合３９は、各第２のサイドパネルの第３の折り曲げ部分の第２の突起部分７４とパンツ胴体部との間に形成されるとしてよい。第２の突起部分７４は、第３の折り曲げ部分の遠位領域の後方エッジまたは前方エッジの他方から延在している。
【０１４５】
さらに別の実施形態によると、第３の断絶可能な結合形成デバイスは、パンツ胴体部の第１の側方エッジと第２の側方エッジとの間において、各第２のサイドパネルの第３の折り曲げ部分と、各第２のサイドパネルの大２の折り曲げ部分との間に、第３の断絶可能な結合を形成するとしてよい。
【０１４６】
一部の実施形態によると、当該装置はさらに、トップシート材料の一続きのウェブに第１および第２のサイドパネルが取付けられた後に、バックシート材料となる一続きのウェブを移送してトップシート材料となる一続きのウェブと連結させる第２の移送デバイスを備えるとしてよい。当該装置はさらに、バックシート材料の一続きのウェブをトップシート材料の一続きのウェブに取り付ける取付けデバイスを備えるとしてよい。
【０１４７】
当該装置は、パンツ胴体部、第１のサイドパネルおよび第２のサイドパネルを、第１および第２のウェストエッジに略平行な中央折り曲げラインに沿って、折り曲げて、第１の繰り返し締めることが可能な取付け部および第２の繰り返し締めることが可能な取付け部が、パンツ胴体部の第１の側方エッジと第２の側方エッジとの間において、互いに向き合うようにする二重折り曲げ装置を備えるとしてよい。特定の実施形態によると、当該装置はさらに、第１および第２の繰り返し締めることが可能な取付け部をパンツ胴体部の第１の側方エッジと第２の側方エッジとの間に配置させつつ、パンツ胴体部を押圧することで第１および第２の繰り返し締めることが可能な取付け部を繰り返し締めることが可能な方法で係合させる取付けステーションを備えるとしてよい。
【０１４８】
別の側面によると、繰り返し締めることが可能なトレーニングパンツを包装できるように用意する装置を提供する。当該装置は、前方エッジ、後方エッジ、ならびに、前方エッジおよび後方エッジの間に長手方向に延在する第１および第２の側方エッジを有する胴体部を備える繰り返し締めることが可能なトレーニングパンツを用意するパンツ組み立てシステムを備えるとしてよい。繰り返し締めることが可能なトレーニングパンツはさらに、胴体部の前方エッジおよび後方エッジのうち一方の近傍で胴体部に取り付けられている一対の第１のサイドパネルと、胴体部の前方エッジおよび後方エッジの他方の近傍で胴体部に取り付けられている一対の第２のサイドパネルとを備えるとしてよい。第１のサイドパネルはそれぞれ、第１の取付け部を有し、第２のサイドパネルはそれぞれ、第２の取付け部を有するとしてよい。第１のサイドパネルは、胴体部の上方に来るように内向きに折り曲げられ、第１の取付け部を胴体部の第１の側方エッジと第２の側方エッジとの間に位置させ、第２のサイドパネルも、胴体部の上方に来るように内向きに折り曲げられ、第２の取付け部を胴体部の第１の側方エッジと第２の側方エッジとの間に位置させるとしてよい。当該装置はさらに、締めていない状態において第１および第２の取付け部を胴体部の第１の側方エッジと第２の側方エッジとの間に位置させたまま、繰り返し締めることが可能なトレーニングパンツを機械方向に移送するパンツ移送装置を備えるとしてよい。当該装置はさらに、第１および第２の取付け部を胴体部の第１の側方エッジと第２の側方エッジとの間に位置させたまま、第１の取付け部と第２の取付け部とを繰り返し締めることが可能なように係合させる取付けステーションを備えるとしてよい。
【０１４９】
一部の実施形態によると、当該装置はさらに、繰り返し締めることが可能なトレーニングパンツを横方向の折り曲げラインに沿って折り曲げて、胴体部の第１の側方エッジと第２の側方エッジとの間において、第１のサイドパネルの第１の取付け部が、第２のサイドパネルの第２の取付け部と向かい合うようにする折り曲げ装置を備えるとしてよい。
【０１５０】
当該装置はさらに、第１のサイドパネルを胴体部の第１の側方エッジおよび第２の側方エッジに取り付ける第１のサイドパネル取付け装置を備えるとしてよい。特定の実施形態によると、当該装置はさらに、第１のサイドパネルを受け取って、胴体部の側方エッジを略横切るように各第１のサイドパネルを折り曲げて第１の折り曲げ部分を形成する第１のサイドパネル折り曲げ装置を備えるとしてよい。第１の折り曲げ部分は、胴体部に取付けられると、胴体部の上方に来るように内向きに折り曲げられ、胴体部の第１の側方エッジと第２の側方エッジとの間で延在するとしてよい。当該装置はさらに、胴体部と第１のサイドパネルの第１の折り曲げ部分との間に断絶可能な結合を形成する断絶可能な結合形成デバイスを備えるとしてよい。
【０１５１】
一部の実施形態によると、当該装置はさらに、胴体部を第２のサイドパネル取付け装置に移送する第２の移送装置を備えるとしてよい。例えば、第２の移送装置は、トップシート材料の一続きのウェブとして、胴体部を移送するとしてよい。当該装置はさらに、第２のサイドパネルを胴体部の第１および第２の側方エッジに取り付ける第２のサイドパネル取付け装置を備えるとしてよい。当該装置はさらに、第２のサイドパネルを受け取って、第２のウェストエッジを略横切るように各第２のサイドパネルを折り曲げて第２の折り曲げ部分を形成する第２のサイドパネル折り曲げ装置を備えるとしてよい。第２の折り曲げ部分は、胴体部に取り付けられると、胴体部の上方に来るように内向きに折り曲げられており、胴体部の第１の側方エッジと第２の側方エッジとの間に延在している。特定の実施形態によると、当該装置はさらに、第２のサイドパネルの第２の折り曲げ部分と胴体部との間に第２の断絶可能な結合３６を形成する第２の断絶可能な結合形成装置を備えるとしてよい。
【０１５２】
一部の実施形態によると、当該装置はさらに、第２のサイドパネルを受け取って、第２のウェストエッジを略横切るように各第２のサイドパネルを折り曲げて第３の折り曲げ部分を形成する第３のサイドパネル折り曲げ装置を備えるとしてよい。第３の折り曲げ部分は、胴体部に取り付けられると、第２の折り曲げ部分の上方に来るように外向きに折り曲げるとしてよい。当該装置はさらに、胴体部と各第２のサイドパネルの第３の折り曲げ部分との間に、第３の断絶可能な結合３８を形成する第３の断絶可能な結合形成装置を備えるとしてよい。一部の実施形態によると、当該装置はさらに、胴体部と第２のサイドパネルの第３の折り曲げ部分との間に第４の断絶可能な結合３９を形成する第４の断絶可能な結合形成装置を備えるとしてよい。一部の実施形態によると、第３の断絶可能な結合３８は、胴体部と第２のサイドパネルの第３の折り曲げ部分の第１の突起部分７４との間に形成されるとしてよい。第１の突起部分７４は、第３の折り曲げ部分の遠位領域の後方エッジまたは前方エッジのうち一方から延在している。一部の実施形態によると、第４の断絶可能な結合３９は、胴体部と第２のサイドパネルの第３の折り曲げ部分の第２の突起部分７４との間に形成されるとしてよく、第２の突起部分７４は、第３の折り曲げ部分の遠位領域の後方エッジまたは前方エッジの他方から延在している。
【０１５３】
さらに別の実施形態によると、第３の断絶可能な結合は、胴体部の第１の側方エッジと第２の側方エッジとの間において、第２のサイドパネルの第３の折り曲げ部分と、第２のサイドパネルの第２の折り曲げ部分との間に形成されるとしてよい。
【０１５４】
特定の実施形態によると、当該装置は、トップシート材料の一続きのウェブに第１および第２のサイドパネルが取り付けられた後に、バックシート材料の一続きのウェブを移送して、トップシート材料の一続きのウェブと結合させる第３の移送装置を備えるとしてよい。このような実施形態では、当該装置はさらに、バックシート材料の一続きのウェブをトップシート材料の一続きのウェブに取り付ける取付け装置を備えるとしてよい。
【０１５５】
図１２は、図３に例示したトレーニングパンツを製造する装置を示す概略図である。本例では、前方サイドパネルは、後方サイドパネルが胴体部に取り付けられる前に、胴体部に取り付けられている。しかし、後方サイドパネルが胴体部に取り付けられるのは、前方サイドパネルが胴体部に取り付けられる前または後のいずれであってもよいことに留意されたい。
【０１５６】
第１のサイドパネル取付け装置３０４は、パンツ胴体部に前方サイドパネル２４を取り付けるべく用意される。前方サイドパネル２４は、一続きのウェブ材料３０２として第１のサイドパネル取付け装置３０４に供給されるとしてよい。（サイドパネル２６を製造する装置の実施形態は、上記で詳述した図１３に図示されている。）一続きのウェブ材料３０２は、繰り返し締めることが可能な取付けシステム４０の取付け部４４を含むとしてよい。この後、一続きのウェブ材料３０２から前方サイドパネル２４を切断して、トップシート１６に取り付けるとしてよい。トップシート１６は、一続きのウェブ材料３００として、第１のサイドパネル取付け装置３０４に供給されるとしてよい。第１のサイドパネル取付け装置３０４は、前方サイドパネル２４をトップシート１６に外れないように結合する機能を持つとしてよい。例えば、第１のサイドパネル取付け装置３０４は、外れないように接着する接着剤をトップシート１６および／または前方サイドパネル２４に塗布する接着剤塗布装置を有するとしてよい。または、前方サイドパネル２４をトップシート１６に熱接合または超音波接合する装置を備えるとしてよい。
【０１５７】
第１のサイドパネル折り曲げ装置３０６は、トップシート１６の上方に来るように前方サイドパネル２４を折り曲げて第１の折り曲げ部分２４ａを形成するべく設けられているとしてよい。第１のサイドパネル折り曲げ装置３０６は、例えば、折り曲げボードまたは折り曲げコンベヤを含むとしてよい。第１のサイドパネル折り曲げ装置３０６は、第２のサイドパネル取付け装置３１２に対して上流または下流に配置されているとしてよく、または、第１のサイドパネル折り曲げ装置３０６は、第１のサイドパネル取付け装置３０４に組み込まれているとしてもよい。
【０１５８】
第１の固定装置３０８は、第１の断絶可能な結合３０を形成するべく設けられているとしてよい。一部の実施形態によると、第１の固定装置３０８は、断絶可能な結合形成装置であってよい。断絶可能な結合が熱結合または超音波結合によって形成される実施形態において、熱結合装置または超音波結合装置を用いて、熱結合または超音波結合を形成して第１の断絶可能な結合３０を形成するとしてよい。接着剤を用いて第１の断絶可能な結合３０を形成する実施形態では、第１の固定装置３０８は、第１のサイドパネル折り曲げ装置３０６の上流に配置されるとしてよい。
【０１５９】
第２のサイドパネル取付け装置３１２は、後方サイドパネル２６をパンツ胴体部に取り付けるべく設けられているとしてよい。後方サイドパネル２６は、２つの一続きのウェブ材料３１０として、第２のサイドパネル取付け装置３１２に供給されるとしてよい。一続きのウェブ材料３１０は、繰り返し締めることが可能な取付けシステム４０の取付け部４２を含むとしてよい。この後、一続きのウェブ材料３１０から後方サイドパネル２６を切断して、トップシート１６に取り付けるとしてよい。トップシート１６は、一続きのウェブ材料３１０として、第２のサイドパネル取付け装置３１２に供給されるとしてよい。第２のサイドパネル取付け装置３１２は、後方サイドパネル２６をトップシート１６に外れないように結合する装置を含むとしてよい。例えば、サイドパネル取付け装置３１２は、外れないように接着する接着剤をトップシート１６および／または後方サイドパネル２６に塗布する接着剤塗布装置を含むとしてよく、または、後方サイドパネル２６をトップシート１６に熱結合または超音波結合する装置を含むとしてよい。
【０１６０】
第２のサイドパネル折り曲げ装置３１４は、トップシート１６の上方に来るように後方サイドパネル２４を折り曲げて、第２の折り曲げ部分２６ａを形成するべく設けられているとしてよい。第２のサイドパネル折り曲げ装置３１４は、例えば、折り曲げボードまたは折り曲げコンベヤを含むとしてよい。第２のサイドパネル折り曲げ装置３１４は、第１のサイドパネル取付け装置３０４に対して上流または下流に配置されているとしてよく、または、第１のサイドパネル折り曲げ装置３０６は、第１のサイドパネル取付け装置３０４に組み込まれているとしてよい。
【０１６１】
第２の固定装置３１６は、第２の断絶可能な結合３６を形成するべく設けられるとしてよい。断絶可能な結合が熱結合または超音波結合で形成される実施形態では、熱結合装置または超音波結合装置を用いて熱結合または超音波結合を行うことにより第２の断絶可能な結合３６を形成するとしてよい。接着剤を用いて第２の断絶可能な結合３６を形成する実施形態では、第２の固定装置３１６は、第２のサイドパネル折り曲げ装置３１４の上流に配置するとしてよい。
【０１６２】
第３のサイドパネル折り曲げ装置３１８は、第３の折り曲げライン３４に沿って後方サイドパネル２６を折り曲げて第３の折り曲げ部分２６ｂを形成するべく設けられるとしてよい。第３のサイドパネル折り曲げ装置３１８は、例えば、折り曲げボードまたは折り曲げコンベヤを含むとしてよい。第３のサイドパネル折り曲げ装置３１８は、第１のサイドパネル取付け装置３０４に対して上流または下流に配置されているとしてよく、または、第３のサイドパネル折り曲げ装置３１８は、第１のサイドパネル取付け装置３０４に組み込まれているとしてよい。
【０１６３】
第３の固定装置３２０は、第３および第４の断絶可能な結合３８、３９を形成するべく設けられるとしてよい。一部の実施形態によると、第３の断絶可能な結合３８および第４の断絶可能な結合３９のそれぞれを形成するために、別箇の固定装置を設けるとしてよい。断絶可能な結合が熱結合または超音波結合によって形成される実施形態では、熱結合装置または超音波結合装置を用いて、熱結合または超音波結合を形成して、第３および第４の断絶可能な結合３８、３９を形成するとしてよい。接着剤を用いて第３および／または第４の断絶可能な結合３８、３９を形成する実施形態では、第３の固定装置３２０は、第３のサイドパネル折り曲げ装置３１８の上流に配置するとしてよい。
【０１６４】
弾性帯状ウェブ取付けユニット３２２は、弾性帯状ウェブ４８をトップシート１６に取り付けるべく設けられるとしてよい。弾性帯状ウェブ取付けユニット３２２は、接着剤で、または、熱結合または超音波結合で、弾性帯状ウェブ４８をトップシートに取り付けるとしてよい。
【０１６５】
別の供給ラインにおいて、弾性脚部材５０をバックシート２０に結合させるとしてよい。バックシート２０は、一続きのウェブ材料３２４として供給されるとしてよい。バックシート２０にはこの後、ソース３２６から供給される吸収性コア２２を取り付けるとしてよい。この後、トップシート１６（前方サイドパネル２４および後方サイドパネル２６ならびに弾性ウェストバンド４８を備える）は、バックシート２０（弾性脚部材５０および吸収性コア２２を備える）に重ねて固定するとしてよい。トップシート１６およびバックシート２０は、接着剤結合、超音波結合または熱結合を含む、関連技術分野で公知の任意の処理で固定するとしてよい。
【０１６６】
一部の実施形態によると、脚回り境界部取付けユニットは、脚回り境界部２１をトップシート１６に取り付けるべく設けられるとしてよい。脚回り境界部取付けユニットは、脚回り境界部２１をトップシート１６に、接着剤で、または、熱結合あるいは超音波結合で取り付けるとしてよい。
【０１６７】
切断ステーション３２８は、一続きのウェブを横方向に切断して、繰り返し締めることが可能な物品１０の中間製品を形成するべく設けられるとしてよい。切断処理によって得られた繰り返し締めることが可能な物品１０は、ローラ３３０に供給されるとしてよい。繰り返し締めることが可能な物品１０は、真空を用いて、ローラ３３０の外面に維持されるとしてよい。
【０１６８】
折り曲げ装置３３２は、二重折り曲げ装置と呼ばれるが、繰り返し締めることが可能な物品１０の股領域２９が、一対のニップローラを含む折り曲げニップに供給されると、繰り返し締めることが可能な物品１０を横方向の折り曲げラインＡに沿って折り曲げる。ローラ３３０は、繰り返し締めることが可能な物品１０を折り曲げ装置から取り出して折り曲げニップに入れる押出部を備えるとしてよい。
【０１６９】
当該折り曲げ装置は、一対のコンベヤ、例えば、上側コンベヤおよび下側コンベヤを含むものとして現在の図には図示しているとしてよい。当該折り曲げ装置は、折り曲げニップを通過させて繰り返し締めることが可能な物品１０を引き出して、繰り返し締めることが可能な物品１０を折り曲げニップの下流に移送する。一部の実施形態によると、折り曲げ装置３３２は、折り曲げ処理中、コンベヤに対して所定位置に、真空を用いて、繰り返し締めることが可能な物品１０を維持するとしてよい。例えば、折り曲げ装置３３２は、折り曲げニップおよび／または真空コンベヤにおいて、真空ニップローラを含むとしてよい。一部の実施形態によると、コンベヤはそれぞれ、繰り返し締めることが可能な物品１０を保持する領域を持つベルトを有するとしてよい。この保持領域は、ベルトの外面に対して凹に形成されている複数の座部によって形成されるとしてよい。繰り返し締めることが可能な物品１０を取り上げるためのこの保持領域は、真空吸着によって繰り返し締めることが可能な物品１０を取り上げるための穴が設けられている。穴の配置は、繰り返し締めることが可能な物品１０の前半分および後半分の形状を再現できるような配置になっているとしてよい。上側ベルトおよび下側ベルトの表面は、間でサイドパネル２４、２６を押圧するように、十分に近接させているとしてよい。この方法によって、折り曲げ処理中に同時に、繰り返し締めることが可能な物品１０を締めることが可能になる。コンベヤに関するさらなる詳細については、米国仮特許出願第６１／４５３，６７７号（出願日：２０１１年３月１７日）に記載されているとしてよい。当該文献の内容は全て、参照により本願に組み込まれる。
【０１７０】
他の実施形態によると、折り曲げ装置３３２は、真空を利用することなく、繰り返し締めることが可能な物品１０を折り曲げるとしてよい。サイドパネルに対して断絶可能な結合が設けられていることによって得られる安定性のおかげで、真空を利用しなくても、商業生産速度が実現され得るという利点があることが分かっている。
【０１７１】
折り曲げ装置３３２において繰り返し締めることが可能な物品１０を折り曲げる場合、繰り返し締めることが可能な取付けシステム４０の繰り返し締めることが可能な取付け部４２、４４、ならびに、前方サイドパネル２４および後方サイドパネル２６は、折り曲げ部分２４ａ、２６ａおよび２６ｂと側方エッジ１４との間において、取り外し可能な結合によって、胴体部の内側に維持されるとしてよい。この結果、サイドパネル２４および２６の折り曲げ部分２４ａ、２６ａおよび２６ｂは、胴体部１２の外周に対して内向きに配置される。
【０１７２】
一部の実施形態によると、折り曲げ装置３３２で実行される横方向折り曲げ処理によって、繰り返し締めることが可能な取付けシステム４０のフック型取付け部４２およびループ型取付け部４４が互いに接触するとしてよい。他の実施形態では、折り曲げ装置３３２によって実行される横方向折り曲げ処理は、例えば、真空を用いて、フック型取付け部４２とループ型取付け部４４との間を分離させたまま実行するとしてよい。フック型取付け部４２およびループ型取付け部４４は、圧力ローラ３３４によって互いに接続されて、最終製品となる繰り返し締めることが可能な物品１０を形成するとしてよい。繰り返し締めることが可能な物品１０はこのため、「予め締めた」状態に閉じられているとしてよい。この状態で、繰り返し締めることが可能な物品１０は包装および販売される。
【０１７３】
図１５は、図６から図９で例示しているトレーニングパンツを製造する装置を図示している概略図である。本例では、第１のサイドパネルは、第２のサイドパネルが胴体部の取付けられる前に、胴体部に取り付けられている。しかし、第１のサイドパネルを胴体部に取り付けるのは、第２のサイドパネルを胴体部に取り付ける前でも後でもよいことに留意されたい。
【０１７４】
第１のサイドパネル取付け装置４０４は、パンツ胴体部に前方サイドパネル１２４を取り付けるべく用意される。前方サイドパネル１２４は、一続きのウェブ材料４０２として第１のサイドパネル取付け装置４０４に供給されるとしてよい。一続きのウェブ材料４０２は、繰り返し締めることが可能な取付けシステム１４０の取付け部１４４を含むとしてよい。この後、一続きのウェブ材料４０２から前方サイドパネル１２４を切断して、トップシート１１６に取り付けるとしてよい。トップシート１１６は、一続きのウェブ材料４００として、第１のサイドパネル取付け装置４０４に供給されるとしてよい。第１のサイドパネル取付け装置４０４は、前方サイドパネル１２４をトップシート１１６に外れないように結合する装置を含むとしてよい。例えば、第１のサイドパネル取付け装置４０４は、外れないように接着する接着剤をトップシート１１６および／または前方サイドパネル１２４に塗布する接着剤塗布装置を有するとしてよい。または、前方サイドパネル１２４をトップシート１１６に熱接合または超音波接合する装置を備えるとしてよい。
【０１７５】
脚回り境界部取付けユニット４０５は、脚回り境界部１２１をトップシート１１６に取り付けるために設けられているとしてよい。脚回り境界部取付けユニット４０５は、脚回り境界部１２１を、接着剤で、または、熱結合または超音波結合によって、トップシート１１６に取り付けるとしてよい。脚回り境界部１２１は、トップシート１１６の隅に隣接してポケット１８０を形成するように構成されるとしてよい。ポケット１８０は、折り曲げた前方サイドパネル１２４および後方サイドパネル１２６の少なくとも一部分を固定して、折り曲げ装置４３２で実行される横方向折り曲げ処理によって繰り返し締めることが可能な取付けシステム１４０のフック型取付け部１４２およびループ型取付け部１４４を互いに接触させるべく、用いられるとしてよい。
【０１７６】
第１のサイドパネル折り曲げ装置４０６は、トップシート１１６の上方に来るように前方サイドパネル１２４を折り曲げて第１の折り曲げ部分１２４ａを形成するべく設けられているとしてよい。第１のサイドパネル折り曲げ装置４０６は、例えば、折り曲げボードまたは折り曲げコンベヤを含むとしてよい。第１のサイドパネル折り曲げ装置４０６は、第１のサイドパネル取付け装置４０４に組み込まれているとしてもよい。
【０１７７】
第１の固定装置４１６は、折り曲げた前方サイドパネル１２４の少なくとも一部分を、胴体部の第１の側方エッジおよび第２の側方エッジのそれぞれに隣接して設けられているポケット１８０に挿入する（つまり、入れ込む）べく設けられているとしてよい。一部の実施形態によると、第１の固定装置４１６は、入れ込み装置を含むとしてよい。一部の実施形態によると、第１の固定装置４１６は、脚回り境界部１２１とトップシート１１６との間に形成されているポケット１８０に、折り曲げた前方サイドパネル１２４の少なくとも一部分を挿入するとしてよい。
【０１７８】
さらに別の実施形態によると、第１のサイドパネル折り曲げ装置４０６は、トップシート１１６の上方に来るように前方サイドパネル１２４を折り曲げて、第１の折り曲げ部分１２４ａを形成するとしてよい。脚回り境界部取付けユニット４０５はこの後、脚回り境界部１２１をトップシート１１６に取り付けるとしてよい。脚回り境界部１２１は、トップシート１１６の隅に隣接してポケット１８０を形成するとしてよい。ポケット１８０は、折り曲げられた前方サイドパネル１２４の少なくとも一部分を固定するために用いられるとしてよい。
【０１７９】
第２のサイドパネル取付け装置４１２は、後方サイドパネル１２６をパンツ胴体部に取り付けるべく設けられているとしてよい。後方サイドパネル１２６は、２つの一続きのウェブ材料４１０として、第２のサイドパネル取付け装置４１２に供給されるとしてよい。一続きのウェブ材料４１０は、繰り返し締めることが可能な取付けシステム１４０の取付け部１４２を含むとしてよい。この後、一続きのウェブ材料４１０から後方サイドパネル１２６を切断して、トップシート１１６に取り付けるとしてよい。トップシート１１６は、一続きのウェブ材料４１０として、第２のサイドパネル取付け装置４１２に供給されるとしてよい。
【０１８０】
第２のサイドパネル折り曲げ装置４１４は、トップシート１１６の上方に来るように後方サイドパネル１２６を折り曲げて、第２の折り曲げ部分１２６ａを形成するべく設けられているとしてよい。第２のサイドパネル折り曲げ装置４１４は、例えば、折り曲げボードまたは折り曲げコンベヤを含むとしてよい。第２のサイドパネル折り曲げ装置４１４は、第１のサイドパネル取付け装置４０４に対して上流または下流に配置されているとしてよく、または、第２のサイドパネル折り曲げ装置４１４は、第１のサイドパネル取付け装置４０４に組み込まれているとしてよい。
【０１８１】
第３のサイドパネル折り曲げ装置４１８は、第３の折り曲げライン１３４に沿って後方サイドパネル１２６を折り曲げて第３の折り曲げ部分１２６ｂを形成するべく設けられるとしてよい。第３のサイドパネル折り曲げ装置４１８は、例えば、折り曲げボードまたは折り曲げコンベヤを含むとしてよい。第３のサイドパネル折り曲げ装置４１８は、第１のサイドパネル取付け装置４０４に対して上流または下流に配置されているとしてよく、または、第３のサイドパネル折り曲げ装置４１８は、第１のサイドパネル取付け装置４０４に組み込まれているとしてよい。
【０１８２】
第２の固定装置４２０は、折り曲げた後方サイドパネル１２６の少なくとも一部分を、胴体部の第１の側方エッジおよび第２の側方エッジのそれぞれに隣接して設けられているポケット１８０に挿入する（つまり、入れ込む）べく設けられているとしてよい。一部の実施形態によると、第２の固定装置４２０は、脚回り境界部１２１とトップシート１１６との間に形成されているポケット１８０に、折り曲げた後方サイドパネル１２６の少なくとも一部分を挿入するとしてよい。
【０１８３】
さらに別の実施形態によると、第１のサイドパネル折り曲げ装置４０６は、トップシート１１６の上方に来るように前方サイドパネル１２４を折り曲げて、第１の折り曲げ部分１２４ａを形成するとしてよい。第２のサイドパネル折り曲げ装置４１４は、トップシート１１６の上方に来るように後方サイドパネル１２６を折り曲げて、第２の折り曲げ部分１２６ａを形成するべく設けられているとしてよい。第３のサイドパネル折り曲げ装置４１８は、第３の折り曲げライン１３４に沿って後方サイドパネル１２６を折り曲げて第３の折り曲げ部分１２６ｂを形成するべく設けられるとしてよい。脚回り境界部取付けユニット４０５は、脚回り境界部１２１をトップシート１１６に取り付けるとしてよい。脚回り境界部１２１は、トップシート１１６の隅に隣接してポケット１８０を形成するように構成されるとしてよい。ポケット１８０は、折り曲げた前方サイドパネル１２４および後方サイドパネル１２６の少なくとも一部分を固定するために用いられるとしてよい。
【０１８４】
弾性帯状ウェブ取付けユニット４２２は、弾性帯状ウェブ１４８をトップシート１１６に取り付けるべく設けられているとしてよい。弾性帯状ウェブ取付けユニット４２２は、接着剤で、または、熱結合または超音波結合で、弾性帯状ウェブ１４８をトップシート１１６に取り付けるとしてよい。
【０１８５】
別の供給ラインにおいて、弾性脚部材１５０をバックシート１２０に結合させるとしてよい。バックシート１２０は、一続きのウェブ材料４２４として供給されるとしてよい。バックシート１２０にはこの後、ソース４２６から供給される吸収性コア１２２を取り付けるとしてよい。この後、トップシート１１６（前方サイドパネル１２４および後方サイドパネル１２６ならびに弾性ウェストバンド１４８を備える）は、バックシート１２０（弾性脚部材１５０および吸収性コア１２２を備える）に重ねて固定するとしてよい。トップシート１１６およびバックシート１２０は、接着剤結合、超音波結合または熱結合を含む、関連技術分野で公知の任意の処理で固定するとしてよい。
【０１８６】
切断ステーション４２８は、一続きのウェブを横方向に切断して、繰り返し締めることが可能な物品１００の中間製品を形成するべく設けられるとしてよい。切断処理によって得られた繰り返し締めることが可能な物品１００は、ローラ４３０に供給されるとしてよい。繰り返し締めることが可能な物品１００は、真空を用いて、ローラ４３０の外面に維持されるとしてよい。
【０１８７】
折り曲げ装置４３２は、二重折り曲げ装置と呼ばれるが、繰り返し締めることが可能な物品１００の股領域１２９が、一対のニップローラを含む折り曲げニップに供給されると、繰り返し締めることが可能な物品１００を横方向の折り曲げラインＡに沿って折り曲げるとしてよい。ローラ４３０は、繰り返し締めることが可能な物品１００を折り曲げ装置から取り出して折り曲げニップに入れる押出部を備えるとしてよい。当該折り曲げ装置は、一対のコンベヤ、例えば、上側コンベヤおよび下側コンベヤを含むものとして現在の図には図示しているとしてよい。当該折り曲げ装置は、折り曲げニップを通過させて繰り返し締めることが可能な物品１００を引き出して、繰り返し締めることが可能な物品１００を折り曲げニップの下流に移送するとしてよい。一部の実施形態によると、折り曲げ装置４３２は、折り曲げ処理中、コンベヤに対して所定位置に、真空を用いて、繰り返し締めることが可能な物品１００を維持するとしてよい。二重折り曲げ装置のさらなる詳細については、上記と同じである。例えば、折り曲げ装置４３２は、折り曲げニップおよび／または真空コンベヤにおいて、真空ニップローラを含むとしてよい。他の実施形態によると、折り曲げ装置４３２は、真空を利用することなく、繰り返し締めることが可能な物品１００を折り曲げるとしてよい。
【０１８８】
折り曲げ装置４３２において繰り返し締めることが可能な物品１００を折り曲げる場合、繰り返し締めることが可能な取付けシステム１４０の繰り返し締めることが可能な取付け部１４２、１４４、ならびに、前方サイドパネル１２４および後方サイドパネル１２６は、折り曲げ部分１２４ａ、１２６ａおよび１２６ｂと側方エッジ１１４との間において、ポケット１８０によって、胴体部の内側に維持されるとしてよい。この結果、サイドパネル１２４および１２６の折り曲げ部分１２４ａ、１２６ａおよび１２６ｂは、胴体部１１２の外周に対して内向きに配置される。
【０１８９】
一部の実施形態によると、折り曲げ装置４３２で実行される横方向折り曲げ処理によって、繰り返し締めることが可能な取付けシステム１４０のフック型取付け部１４２およびループ型取付け部１４４が互いに接触するとしてよい。他の実施形態では、横方向折り曲げ処理は、折り曲げ装置４３２によって実行され、例えば、真空を用いて、フック型取付け部１４２とループ型取付け部１４４との間を分離させたまま実行するとしてよい。フック型取付け部１４２およびループ型取付け部１４４は、圧力ローラ４３４によって互いに接続されて、最終製品となる繰り返し締めることが可能な物品１００を形成するとしてよい。繰り返し締めることが可能な物品１００はこのため、「予め締めた」状態に閉じられているとしてよい。この状態で、繰り返し締めることが可能な物品１００であるトレーニングパンツは包装および販売されるとしてよい。
【０１９０】
接着剤によって接続された構成要素を一例として考慮しているが、さまざまな実施形態では、熱結合、超音波結合、接合またはさまざまな方法の組み合わせを利用して接続するとしてよい。
【０１９１】
当業者であれば問題なく、図１２および図１５の図示内容は本質的に概略図であると考えるであろう。図１２および図１５の装置およびシステムの特徴のうち特に本明細書で考慮されていないものは、関連技術分野では従来技術であるので、詳細な説明は本明細書では不要である。
【０１９２】
言うまでもなく、本発明の基礎となる原理に相反することなく、特許請求の範囲で定義する本発明の範囲から逸脱することなく、詳細な内容および実施形態は、本明細書で一例として説明および図示したものとは、場合によっては大きく、異なるとしてよい。
【図１】
0006044790.tif 000002
【図２】
0006044790.tif 000003
【図３】
0006044790.tif 000004
【図４】
0006044790.tif 000005
【図５】
0006044790.tif 000006
【図６】
0006044790.tif 000007
【図７】
0006044790.tif 000008
【図８】
0006044790.tif 000009
【図９】
0006044790.tif 000010
【図１０】
0006044790.tif 000011
【図１１】
0006044790.tif 000012
【図１２】
0006044790.tif 000013
【図１３】
0006044790.tif 000014
【図１４ａ】
0006044790.tif 000015
【図１４ｂ】
0006044790.tif 000016
【図１４ｃ】
0006044790.tif 000017
【図１４ｄ】
0006044790.tif 000018
【図１５】
0006044790.tif 000019